(57)【要約】  誘導結合通信のための方法が説明される。本方法は、誘導結合通信のための動作モードを決定することを含む。本方法はまた、受信機の信号合成ブロックにおいて送信電力増幅器（ＰＡ）出力レプリカとＰＡ出力コピーとを合成することによって動作モードを実行することを含む。ＰＡ出力レプリカはチャネルプロパティの影響を反映する。ＰＡ出力コピーはチャネルプロパティによって影響を受けない。
2018532328.tif 000002
【特許請求の範囲】
【請求項１】
誘導結合通信のための方法であって、
誘導結合通信のための動作モードを決定することと、
受信機の信号合成ブロックにおいて送信電力増幅器（ＰＡ）出力レプリカとＰＡ出力コピーとを合成することによって前記動作モードを実行することと、ここにおいて、前記ＰＡ出力レプリカがチャネルプロパティの影響を反映し、ここにおいて、前記ＰＡ出力コピーが前記チャネルプロパティによって影響を受けない、
を備える、方法。
【請求項２】
前記チャネルプロパティが、アンテナ、マッチングネットワーク、リモートデバイスへの結合、または負荷変調のうちの少なくとも１つに関する負荷状態を備える、請求項１に記載の方法。
【請求項３】
前記信号合成ブロックが、前記ＰＡ出力レプリカと前記ＰＡ出力コピーとの時間領域加算を実行し、ここにおいて、前記ＰＡ出力コピーが前記ＰＡ出力レプリカから減算される、請求項１に記載の方法。
【請求項４】
前記信号合成ブロックが周波数変換を実行する、請求項１に記載の方法。
【請求項５】
前記ＰＡ出力レプリカと前記ＰＡ出力コピーとの位相、周波数および振幅整合が、互いに対して、および着信受信信号に対して可変である、請求項１に記載の方法。
【請求項６】
前記ＰＡ出力レプリカと前記ＰＡ出力コピーとの多相、マルチトーンおよび振幅可変態様が、ニアフィールド通信（ＮＦＣ）ブロックのアナログ部分、デジタル部分、またはアナログ部分とデジタル部分の両方の組合せにおいて実装される、請求項５に記載の方法。
【請求項７】
前記動作モードが、ターゲット負荷変調を用いたリーダーモードであり、ここにおいて、前記動作モードを実行することが、
発信キャリアを送信することと、
前記ＰＡ出力レプリカを前記信号合成ブロックに与えることによって前記発信キャリアの着信負荷変調を検知することと、
着信負荷変調信号およびキャリア残差を分離するために、前記ＰＡ出力コピーを用いて前記信号合成ブロックにおいて前記発信キャリアを取り去ることと
を備える、請求項１に記載の方法。
【請求項８】
前記動作モードがターゲットモードであり、ここにおいて、前記動作モードを実行することが、
マッチングネットワークおよびアンテナにおける被制御出力インピーダンス接続を維持するために低レベル発信キャリアを送信することと、
前記ＰＡ出力レプリカを前記信号合成ブロックに与えることによって着信キャリアの着信変調を検知することと、
着信変調信号を分離するために、重み付けされた出力レベルをもつ前記ＰＡ出力コピーを用いて前記信号合成ブロックにおいて前記発信キャリアと着信キャリアとを取り去ることと
を備える、請求項１に記載の方法。
【請求項９】
前記信号合成ブロックにおいて前記ＰＡ出力レプリカと前記ＰＡ出力コピーとを加算することによって生成された加算誤差に基づいて、着信キャリア上で位相ロックを実行することをさらに備える、請求項１に記載の方法。
【請求項１０】
前記動作モードが、能動負荷変調（ＡＬＭ）を用いたターゲットモードであり、ここにおいて、前記動作モードを実行することが、
発信ＡＬＭサブキャリアを送信することと、
前記ＰＡ出力レプリカを前記信号合成ブロックに与えることによって前記発信ＡＬＭサブキャリアと着信キャリアの着信変調とを検知することと、
前記着信キャリア上の着信変調信号を分離するために、前記ＰＡ出力コピーを用いて前記信号合成ブロックにおいて前記発信ＡＬＭサブキャリアと前記着信キャリアとを取り去ることと
を備える、請求項１に記載の方法。
【請求項１１】
前記動作モードが無線周波数（ＲＦ）ポーリングモードであり、ここにおいて、前記動作モードを実行することが、
発信ポーリング信号を送信することと、
前記ＰＡ出力レプリカを前記信号合成ブロックに与えることによって前記発信ポーリング信号とチャネル影響とを検知することと、
前記信号合成ブロックにおいて前記ＰＡ出力レプリカから前記ＰＡ出力コピーを減算することによって前記チャネル影響のための信号レベルを決定することと、
前記信号レベルの変化に基づいて結合物体の存在を決定することと
を備える、請求項１に記載の方法。
【請求項１２】
前記動作モードがＲＦポーリングモードであり、前記信号合成ブロックが受信機アナログデジタル変換器（ＡＤＣ）を備え、ここにおいて、前記動作モードを実行することが、
発信ポーリング信号を送信することと、
前記ＰＡ出力レプリカを前記受信機ＡＤＣの入力に与えることによって前記発信ポーリング信号とチャネル影響とを検知することと、
より高次の周波数における前記ＰＡ出力コピーを前記受信機ＡＤＣのクロックに与えることによって前記チャネル影響のための信号レベルを決定することと、
前記信号レベルの変化に基づいて結合物体の存在を決定することと
を備える、請求項１に記載の方法。
【請求項１３】
前記動作モードがＲＦポーリングモードであり、前記信号合成ブロックが受信機アナログデジタル変換器（ＡＤＣ）を備え、ここにおいて、前記動作モードを実行することが、
発信ポーリング信号を送信することと、
前記ＰＡ出力レプリカを前記受信機ＡＤＣの入力に与えることによって前記発信ポーリング信号とチャネル影響とを検知することと、
前記送信されたポーリング信号の周波数におけるまたはその近くの前記ＰＡ出力コピーを前記受信機ＡＤＣのクロックに与えることによって前記チャネル影響のための信号レベルを決定することと、
得られた直接ダウンコンバートされた信号レベルの変化に基づいて結合物体の存在を決定することと
を備える、請求項１に記載の方法。
【請求項１４】
誘導結合通信のためのワイヤレス通信デバイスであって、
プロセッサと、
前記プロセッサと通信しているメモリと、
前記メモリに記憶された命令と
を備え、前記命令は、
誘導結合通信のための動作モードを決定することと、
受信機の信号合成ブロックにおいて送信電力増幅器（ＰＡ）出力レプリカとＰＡ出力コピーとを合成することによって前記動作モードを実行することと、ここにおいて、前記ＰＡ出力レプリカがチャネルプロパティの影響を反映し、ここにおいて、前記ＰＡ出力コピーが前記チャネルプロパティによって影響を受けない、
を行うために前記プロセッサによって実行可能である、ワイヤレス通信デバイス。
【請求項１５】
前記動作モードが、ターゲット負荷変調を用いたリーダーモードであり、ここにおいて、前記動作モードを実行するために実行可能な前記命令が、
発信キャリアを送信することと、
前記ＰＡ出力レプリカを前記信号合成ブロックに与えることによって前記発信キャリアの着信負荷変調を検知することと、
着信負荷変調信号およびキャリア残差を分離するために、前記ＰＡ出力コピーを用いて前記信号合成ブロックにおいて前記発信キャリアを取り去ることと
を行うために実行可能な命令を備える、請求項１４に記載のワイヤレス通信デバイス。
【請求項１６】
前記動作モードがターゲットモードであり、ここにおいて、前記動作モードを実行するために実行可能な前記命令が、
マッチングネットワークおよびアンテナにおける被制御出力インピーダンス接続を維持するために低レベル発信キャリアを送信することと、
前記ＰＡ出力レプリカを前記信号合成ブロックに与えることによって着信キャリアの着信変調を検知することと、
着信変調信号を分離するために、重み付けされた出力レベルをもつ前記ＰＡ出力コピーを用いて前記信号合成ブロックにおいて前記発信キャリアと着信キャリアとを取り去ることと
を行うために実行可能な命令を備える、請求項１４に記載のワイヤレス通信デバイス。
【請求項１７】
前記動作モードが、能動負荷変調（ＡＬＭ）を用いたターゲットモードであり、ここにおいて、前記動作モードを実行するために実行可能な前記命令が、
発信ＡＬＭサブキャリアを送信することと、
前記ＰＡ出力レプリカを前記信号合成ブロックに与えることによって前記発信ＡＬＭサブキャリアと着信キャリアの着信変調とを検知することと、
前記着信キャリア上の着信変調信号を分離するために、前記ＰＡ出力コピーを用いて前記信号合成ブロックにおいて前記発信ＡＬＭサブキャリアと前記着信キャリアとを取り去ることと
を行うために実行可能な命令を備える、請求項１４に記載のワイヤレス通信デバイス。
【請求項１８】
前記動作モードがＲＦポーリングモードであり、ここにおいて、前記動作モードを実行するために実行可能な前記命令が、
発信ポーリング信号を送信することと、
前記ＰＡ出力レプリカを前記信号合成ブロックに与えることによって前記発信ポーリング信号とチャネル影響とを検知することと、
前記信号合成ブロックにおいて前記ＰＡ出力レプリカから前記ＰＡ出力コピーを減算することによって前記チャネル影響のための信号レベルを決定することと、
前記信号レベルの変化に基づいて結合物体の存在を決定することと
を行うために実行可能な命令を備える、請求項１４に記載のワイヤレス通信デバイス。
【請求項１９】
前記動作モードがＲＦポーリングモードであり、前記信号合成ブロックが受信機アナログデジタル変換器（ＡＤＣ）を備え、ここにおいて、前記動作モードを実行するために実行可能な前記命令が、
発信ポーリング信号を送信することと、
前記ＰＡ出力レプリカを前記受信機ＡＤＣの入力に与えることによって前記発信ポーリング信号とチャネル影響とを検知することと、
より高次の周波数における前記ＰＡ出力コピーを前記受信機ＡＤＣのクロックに与えることによって前記チャネル影響のための信号レベルを決定することと、
前記信号レベルの変化に基づいて結合物体の存在を決定することと
を行うために実行可能な命令を備える、請求項１４に記載のワイヤレス通信デバイス。
【請求項２０】
前記動作モードがＲＦポーリングモードであり、前記信号合成ブロックが受信機アナログデジタル変換器（ＡＤＣ）を備え、ここにおいて、前記動作モードを実行するために実行可能な前記命令が、
発信ポーリング信号を送信することと、
前記ＰＡ出力レプリカを前記受信機ＡＤＣの入力に与えることによって前記発信ポーリング信号とチャネル影響とを検知することと、
前記送信されたポーリング信号の周波数におけるまたはその近くの前記ＰＡ出力コピーを前記受信機ＡＤＣのクロックに与えることによって前記チャネル影響のための信号レベルを決定することと、
得られた直接ダウンコンバートされた信号レベルの変化に基づいて結合物体の存在を決定することと
を行うために実行可能な命令を備える、請求項１４に記載のワイヤレス通信デバイス。
【請求項２１】
誘導結合通信のための装置であって、
誘導結合通信のための動作モードを決定するための手段と、
受信機の信号合成ブロックにおいて送信電力増幅器（ＰＡ）出力レプリカとＰＡ出力コピーとを合成することによって前記動作モードを実行するための手段と、ここにおいて、前記ＰＡ出力レプリカがチャネルプロパティの影響を反映し、ここにおいて、前記ＰＡ出力コピーが前記チャネルプロパティによって影響を受けない、
を備える、装置。
【請求項２２】
前記動作モードが、ターゲット負荷変調を用いたリーダーモードであり、ここにおいて、前記動作モードを実行するための前記手段が、
発信キャリアを送信するための手段と、
前記ＰＡ出力レプリカを前記信号合成ブロックに与えることによって前記発信キャリアの着信負荷変調を検知するための手段と、
着信負荷変調信号およびキャリア残差を分離するために、前記ＰＡ出力コピーを用いて前記信号合成ブロックにおいて前記発信キャリアを取り去るための手段と
を備える、請求項２１に記載の装置。
【請求項２３】
前記動作モードがターゲットモードであり、ここにおいて、前記動作モードを実行するための前記手段が、
マッチングネットワークおよびアンテナにおける被制御出力インピーダンス接続を維持するために低レベル発信キャリアを送信するための手段と、
前記ＰＡ出力レプリカを前記信号合成ブロックに与えることによって着信キャリアの着信変調を検知するための手段と、
着信変調信号を分離するために、重み付けされた出力レベルをもつ前記ＰＡ出力コピーを用いて前記信号合成ブロックにおいて前記発信キャリアと着信キャリアとを取り去るための手段と
を備える、請求項２１に記載の装置。
【請求項２４】
前記動作モードが、能動負荷変調（ＡＬＭ）を用いたターゲットモードであり、ここにおいて、前記動作モードを実行するための前記手段が、
発信ＡＬＭサブキャリアを送信するための手段と、
前記ＰＡ出力レプリカを前記信号合成ブロックに与えることによって前記発信ＡＬＭサブキャリアと着信キャリアの着信変調とを検知するための手段と、
前記着信キャリア上の着信変調信号を分離するために、前記ＰＡ出力コピーを用いて前記信号合成ブロックにおいて前記発信ＡＬＭサブキャリアと前記着信キャリアとを取り去るための手段と
を備える、請求項２１に記載の装置。
【請求項２５】
前記動作モードがＲＦポーリングモードであり、ここにおいて、前記動作モードを実行するための前記手段が、
発信ポーリング信号を送信するための手段と、
前記ＰＡ出力レプリカを前記信号合成ブロックに与えることによって前記発信ポーリング信号とチャネル影響とを検知するための手段と、
前記信号合成ブロックにおいて前記ＰＡ出力レプリカから前記ＰＡ出力コピーを減算することによって前記チャネル影響のための信号レベルを決定するための手段と、
前記信号レベルの変化に基づいて結合物体の存在を決定するための手段と
を備える、請求項２１に記載の装置。
【請求項２６】
誘導結合通信のためのコンピュータプログラム製品であって、前記コンピュータプログラム製品が、命令をその上に有する非一時的コンピュータ可読媒体を備え、前記命令が、
ワイヤレス通信デバイスに、誘導結合通信のための動作モードを決定させるためのコードと、
前記ワイヤレス通信デバイスに、受信機の信号合成ブロックにおいて送信電力増幅器（ＰＡ）出力レプリカとＰＡ出力コピーとを合成することによって前記動作モードを実行させるためのコードと、ここにおいて、前記ＰＡ出力レプリカがチャネルプロパティの影響を反映し、ここにおいて、前記ＰＡ出力コピーが前記チャネルプロパティによって影響を受けない、
を備える、コンピュータプログラム製品。
【請求項２７】
前記動作モードが、ターゲット負荷変調を用いたリーダーモードであり、ここにおいて、前記ワイヤレス通信デバイスに前記動作モードを実行させるための前記コードが、
前記ワイヤレス通信デバイスに、発信キャリアを送信させるためのコードと、
前記ワイヤレス通信デバイスに、前記ＰＡ出力レプリカを前記信号合成ブロックに与えることによって前記発信キャリアの着信負荷変調を検知させるためのコードと、
前記ワイヤレス通信デバイスに、着信負荷変調信号およびキャリア残差を分離するために、前記ＰＡ出力コピーを用いて前記信号合成ブロックにおいて前記発信キャリアを取り去らせるためのコードと
を備える、請求項２６に記載のコンピュータプログラム製品。
【請求項２８】
前記動作モードがターゲットモードであり、ここにおいて、前記ワイヤレス通信デバイスに前記動作モードを実行させるための前記コードが、
前記ワイヤレス通信デバイスに、マッチングネットワークおよびアンテナにおける被制御出力インピーダンス接続を維持するために低レベル発信キャリアを送信させるためのコードと、
前記ワイヤレス通信デバイスに、前記ＰＡ出力レプリカを前記信号合成ブロックに与えることによって着信キャリアの着信変調を検知させるためのコードと、
前記ワイヤレス通信デバイスに、着信変調信号を分離するために、重み付けされた出力レベルをもつ前記ＰＡ出力コピーを用いて前記信号合成ブロックにおいて前記発信キャリアと着信キャリアとを取り去らせるためのコードと
を備える、請求項２６に記載のコンピュータプログラム製品。
【請求項２９】
前記動作モードが、能動負荷変調（ＡＬＭ）を用いたターゲットモードであり、ここにおいて、前記ワイヤレス通信デバイスに前記動作モードを実行させるための前記コードが、
前記ワイヤレス通信デバイスに、発信ＡＬＭサブキャリアを送信させるためのコードと、
前記ワイヤレス通信デバイスに、前記ＰＡ出力レプリカを前記信号合成ブロックに与えることによって前記発信ＡＬＭサブキャリアと着信キャリアの着信変調とを検知させるためのコードと、
前記ワイヤレス通信デバイスに、前記着信キャリア上の着信変調信号を分離するために、前記ＰＡ出力コピーを用いて前記信号合成ブロックにおいて前記発信ＡＬＭサブキャリアと前記着信キャリアとを取り去らせるためのコードと
を備える、請求項２６に記載のコンピュータプログラム製品。
【請求項３０】
前記動作モードがＲＦポーリングモードであり、ここにおいて、前記ワイヤレス通信デバイスに前記動作モードを実行させるための前記コードが、
前記ワイヤレス通信デバイスに、発信ポーリング信号を送信させるためのコードと、
前記ワイヤレス通信デバイスに、前記ＰＡ出力レプリカを前記信号合成ブロックに与えることによって前記発信ポーリング信号とチャネル影響とを検知させるためのコードと、
前記ワイヤレス通信デバイスに、前記信号合成ブロックにおいて前記ＰＡ出力レプリカから前記ＰＡ出力コピーを減算することによって前記チャネル影響のための信号レベルを決定させるためのコードと、
前記ワイヤレス通信デバイスに、前記信号レベルの変化に基づいて結合物体の存在を決定させるためのコードと
を備える、請求項２６に記載のコンピュータプログラム製品。
【発明の詳細な説明】
【技術分野】
【０００１】
[0001]説明される技術は、一般に、ワイヤレス通信の装置および方法に関する。より詳細には、本技術は、ニアフィールド通信（ＮＦＣ：near-field communication）における複数の動作モードに関する。
【背景技術】
【０００２】
[0002]自宅またはオフィスにおけるワイヤレス通信環境は、概して、いくつかの独立して開発された無線アクセス技術および規格を含む。これらの技術は、当初はターゲット適用例のために設計されており、それらは、これらの適用例について比較的うまく機能する。一般的な自宅またはオフィス環境では、コンテンツ（たとえば、ウェブ、ビデオなど）へのアクセスが、住宅所有者のＩＰバックホール接続を通してブロードバンドモデムに与えられる。たとえば、モバイルサービスは、セルラーネットワークを通して、自宅またはオフィス内に位置するマクロセルまたはフェムトセルのいずれかを通して提供される。ワイヤレスローカルエリアネットワーク（ＷＬＡＮ）アクセスポイント（ＡＰ）は、８０２．１１ベースＷｉ−Ｆｉ（登録商標）技術を使用して、コンピュータと、セルフォンと、ラップトップと、プリンタと、他のワイヤレス局との間のデータ接続性を与える。
【０００３】
[0003]現在電子機器において実装されている別の通信媒体は、ニアフィールド通信（ＮＦＣ）である。ＮＦＣは誘導結合通信技術である。電子機器におけるＮＦＣインターフェースの使用は、非接触集積回路カード（たとえば、無線周波数識別（ＲＦＩＤ）カード）の機能と同様の機能をポータブルデバイスに与える。さらに、ＮＦＣインターフェースを備えた電子機器は、一般に、他のＮＦＣデバイスと通信するために無線周波数（ＲＦ）リーダーおよび／またはライターとして動作することが可能である。
【０００４】
[0004]ワイヤレス通信デバイスは、ＮＦＣ技術を使用してリモートデバイスと通信し得る。ＮＦＣにおいて複数の動作モードを実行するために単一の送信機および受信機を使用することによって利益が実現され得る。
【発明の概要】
【０００５】
[0005]誘導結合通信のための方法が説明される。本方法は、誘導結合通信のための動作モードを決定することを含む。本方法はまた、受信機の信号合成ブロックにおいて送信電力増幅器（ＰＡ）出力レプリカとＰＡ出力コピーとを合成することによって動作モードを実行することを含む。ＰＡ出力レプリカはチャネルプロパティの影響を反映する。ＰＡ出力コピーはチャネルプロパティによって影響を受けない。
【０００６】
[0006]チャネルプロパティは、アンテナ、マッチングネットワーク、リモートデバイスへの結合、または負荷変調のうちの少なくとも１つに関する負荷状態を含み得る。
【０００７】
[0007]一実装形態では、信号合成ブロックは、ＰＡ出力レプリカとＰＡ出力コピーとの時間領域加算を実行し得る。ＰＡ出力コピーはＰＡ出力レプリカから減算され得る。別の実装形態では、信号合成ブロックは周波数変換を実行し得る。
【０００８】
[0008]ＰＡ出力レプリカとＰＡ出力コピーとの位相、周波数および振幅整合は、互いに対して、および着信受信信号に対して可変であり得る。ＰＡ出力レプリカとＰＡ出力コピーとの多相、マルチトーンおよび振幅可変態様は、ニアフィールド通信（ＮＦＣ）ブロックのアナログ部分、デジタル部分、またはアナログ部分とデジタル部分の両方の組合せにおいて実装され得る。
【０００９】
[0009]動作モードは、ターゲット負荷変調を用いたリーダーモードであり得る。動作モードを実行することは、発信キャリアを送信することを含み得る。ＰＡ出力レプリカを信号合成ブロックに与えることによって発信キャリアの着信負荷変調が検知され得る。着信負荷変調信号およびキャリア残差を分離するために、ＰＡ出力コピーを用いて信号合成ブロックにおいて発信キャリアが取り去られ得る。
【００１０】
[0010]動作モードはターゲットモードであり得る。マッチングネットワークおよびアンテナにおける被制御出力インピーダンス接続を維持するために低レベル発信キャリアが送信され得る。ＰＡ出力レプリカを信号合成ブロックに与えることによって着信キャリアの着信変調が検知され得る。着信変調信号を分離するために、重み付けされた出力レベルをもつＰＡ出力コピーを用いて信号合成ブロックにおいて発信キャリアと着信キャリアとが取り去られ得る。
【００１１】
[0011]本方法はまた、信号合成ブロックにおいてＰＡ出力レプリカとＰＡ出力コピーとを加算することによって生成された加算誤差に基づいて、着信キャリア上で位相ロックを実行することを含み得る。
【００１２】
[0012]動作モードは、能動負荷変調（ＡＬＭ：active load modulation）を用いたターゲットモードであり得る。発信ＡＬＭサブキャリアが送信され得る。ＰＡ出力レプリカを信号合成ブロックに与えることによって発信ＡＬＭサブキャリアと着信キャリアの着信変調とが検知され得る。着信キャリア上の着信変調信号を分離するために、ＰＡ出力コピーを用いて信号合成ブロックにおいて発信ＡＬＭサブキャリアと着信キャリアとが取り去られ得る。
【００１３】
[0013]動作モードは無線周波数（ＲＦ）ポーリングモードであり得る。発信ポーリング信号が送信され得る。ＰＡ出力レプリカを信号合成ブロックに与えることによって発信ポーリング信号とチャネル影響とが検知され得る。信号合成ブロックにおいてＰＡ出力レプリカからＰＡ出力コピーを減算することによってチャネル影響のための信号レベルが決定され得る。信号レベルの変化に基づいて結合物体の存在が決定され得る。
【００１４】
[0014]動作モードはＲＦポーリングモードであり得る。信号合成ブロックは受信機アナログデジタル変換器（ＡＤＣ）を含み得る。発信ポーリング信号が送信され得る。ＰＡ出力レプリカを受信機ＡＤＣの入力に与えることによって発信ポーリング信号とチャネル影響とが検知され得る。より高次の周波数におけるＰＡ出力コピーを受信機ＡＤＣのクロックに与えることによってチャネル影響のための信号レベルが決定され得る。信号レベルの変化に基づいて結合物体の存在が決定され得る。
【００１５】
[0015]動作モードはＲＦポーリングモードである。信号合成ブロックは受信機ＡＤＣを含み得る。発信ポーリング信号が送信され得る。ＰＡ出力レプリカを受信機ＡＤＣの入力に与えることによって発信ポーリング信号とチャネル影響とが検知され得る。送信されたポーリング信号の周波数におけるまたはその近くのＰＡ出力コピーを受信機ＡＤＣのクロックに与えることによってチャネル影響のための信号レベルが決定され得る。得られた直接ダウンコンバートされた信号レベルの変化に基づいて結合物体の存在が決定され得る。
【００１６】
[0016]また、誘導結合通信のためのワイヤレス通信デバイスが説明される。本ワイヤレス通信デバイスは、プロセッサと、プロセッサと通信しているメモリと、メモリに記憶された命令とを含む。命令は、誘導結合通信のための動作モードを決定するためにプロセッサによって実行可能である。命令はまた、受信機の信号合成ブロックにおいて送信ＰＡ出力レプリカとＰＡ出力コピーとを合成することによって動作モードを実行するために実行可能である。ＰＡ出力レプリカはチャネルプロパティの影響を反映する。ＰＡ出力コピーはチャネルプロパティによって影響を受けない。
【００１７】
[0017]また、誘導結合通信のための装置が説明される。本装置は、誘導結合通信のための動作モードを決定するための手段を含む。本装置はまた、受信機の信号合成ブロックにおいて送信ＰＡ出力レプリカとＰＡ出力コピーとを合成することによって動作モードを実行するための手段を含む。ＰＡ出力レプリカはチャネルプロパティの影響を反映する。ＰＡ出力コピーはチャネルプロパティによって影響を受けない。
【００１８】
[0018]また、誘導結合通信のためのコンピュータプログラム製品が説明される。本コンピュータプログラム製品は、命令をその上に有する非一時的コンピュータ可読媒体を含む。命令は、ワイヤレス通信デバイスに、誘導結合通信のための動作モードを決定させるためのコードを含む。命令はまた、ワイヤレス通信デバイスに、受信機の信号合成ブロックにおいて送信ＰＡ出力レプリカとＰＡ出力コピーとを合成することによって動作モードを実行させるためのコードを含む。ＰＡ出力レプリカはチャネルプロパティの影響を反映する。ＰＡ出力コピーはチャネルプロパティによって影響を受けない。
【図面の簡単な説明】
【００１９】
【図１】[0019]誘導結合通信を実行するためのワイヤレス通信システムの一構成を示すブロック図。
【図２】[0020]マルチモード誘導結合通信のための方法を示す流れ図。
【図３】[0021]マルチモードニアフィールド通信（ＮＦＣ）のためのワイヤレス通信デバイスの一例を示すブロック図。
【図４】[0022]マルチモードＮＦＣのためのワイヤレス通信デバイスの別の例を示すブロック図。
【図５】[0023]ターゲット負荷変調を用いたリーダーモードを実行するための方法を示す流れ図。
【図６】[0024]ターゲットモードを実行するための方法を示す流れ図。
【図７】[0025]能動負荷変調（ＡＬＭ）を用いたターゲットモードを実行するための方法を示す流れ図。
【図８】[0026]ＲＦポーリングモードを実行するための方法の一構成を示す流れ図。
【図９】[0027]ＲＦポーリングモードを実行するための方法の別の構成を示す流れ図。
【図１０】[0028]ＲＦポーリングモードを実行するための方法のまた別の構成を示す流れ図。
【図１１】[0029]トランシーバとリモートユニットとを含むＮＦＣシステムの例示的な概略図を示すブロック図。
【図１２】[0030]ワイヤレス通信デバイス内に含まれ得るいくつかの構成要素を示す図。
【発明を実施するための形態】
【００２０】
[0031]添付の図面に関して以下に記載される発明を実施するための形態は、本開示の例示的な実装形態を説明するものであり、本開示が実施され得る実装形態のみを表すものではない。この説明全体にわたって使用される「例示的」という用語は、「例、事例、または例示の働きをすること」を意味し、必ずしも他の例示的な実装形態よりも好ましいまたは有利であると解釈されるべきではない。発明を実施するための形態は、本開示の例示的な実装形態の完全な理解を与えるための具体的な詳細を含む。いくつかの事例では、いくつかのデバイスがブロック図の形式で示される。
【００２１】
[0032]説明を簡単にするために、方法が一連の行為として図示および説明されるが、いくつかの行為は、１つまたは複数の態様によれば、本明細書で図示および説明される順序とは異なる順序で、および／または他の行為と同時に行われ得るので、方法は行為の順序によって限定されないことを理解し、諒解されたい。たとえば、方法は、状態図など、一連の相互に関係する状態または事象として代替的に表現され得ることを、当業者は理解し、諒解するであろう。さらに、１つまたは複数の態様による方法を実装するために、示されたすべての行為が必要とされるとは限らない。
【００２２】
[0033]次に、図を参照しながら様々な構成が説明される。同様の参照番号は機能的に同様の要素を示し得る。本明細書で概して説明され、図に示されるシステムおよび方法は、多種多様な異なる構成で構成および設計され得る。したがって、図に表されるいくつかの構成の以下のより詳細な説明は、請求される範囲を限定するものではなく、システムおよび方法を代表するものにすぎない。
【００２３】
[0034]図１は、誘導結合通信を実行するためのワイヤレス通信システム１００の一構成を示すブロック図である。ワイヤレス通信システム１００は、リモートデバイス１０４と通信しているワイヤレス通信デバイス１０２を含み得る。一構成では、ワイヤレス通信デバイス１０２とリモートデバイス１０４とは、誘導結合通信を使用して通信し得る。
【００２４】
[0035]ワイヤレス通信デバイス１０２は、電子通信デバイス、モバイルデバイス、移動局、加入者局、クライアント、クライアント局、ユーザ機器（ＵＥ）、リモート局、アクセス端末、モバイル端末、端末、ユーザ端末、加入者ユニットなどと呼ばれることもある。ワイヤレス通信デバイスの例としては、ラップトップまたはデスクトップコンピュータ、セルラーフォン、スマートフォン、ワイヤレスモデム、電子リーダー、タブレットデバイス、ゲームシステムなどがある。これらのデバイスのうちのいくつかは、１つまたは複数の業界規格に従って動作し得る。
【００２５】
[0036]誘導結合通信の一実装形態では、ワイヤレス通信デバイス１０２およびリモートデバイス１０４はニアフィールド通信（ＮＦＣ）を使用し得る。ニアフィールド通信のコンテキストでは、通信している２つのデバイス、すなわち、リーダーとターゲットとがある。ワイヤレス通信デバイス１０２は、動作モード１２４に応じてリーダーＮＦＣデバイスとしてまたはターゲットＮＦＣデバイスとして動作し得る。リーダーＮＦＣデバイスは、ポーラー、ポーリングデバイス、またはイニシエータと呼ばれることもある。ターゲットＮＦＣデバイスは、リスナー、リスニングデバイス、またはタグと呼ばれることもある。リーダーとして動作しているとき、ワイヤレス通信デバイス１０２のアンテナ１１４は、（磁界または電磁界とも呼ばれる）放射界を生成し得る。この放射界は、ターゲットＮＦＣデバイスとして動作しているリモートデバイス１０４のアンテナによって受信され得る。
【００２６】
[0037]ワイヤレス通信デバイス１０２およびリモートデバイス１０４は、互いと通信するために１つまたは複数のＮＦＣシグナリング技術を使用し得る。ＮＦＣシグナリング技術は、ＮＦＣタイプ−Ａと、ＮＦＣタイプ−Ｂと、ＮＦＣタイプ−Ｆとを含み得る。ＮＦＣシグナリング技術は、採用される変調方式が異なる。
【００２７】
[0038]ＮＦＣは、ＮＦＣシグナリング技術のサブセットをサポートする４つの異なるタグタイプを有する。タイプ１タグ（Ｔ１Ｔ）は、データ衝突保護がないＮＦＣタイプ−Ａ通信を使用する。タイプ２タグ（Ｔ２Ｔ）は、衝突防止があるＮＦＣタイプ−Ｂ通信を使用する。タイプ３タグ（Ｔ３Ｔ）は、衝突防止があるＮＦＣタイプ−Ｆを使用する。タイプ４タグ（Ｔ４Ｔ）は、ＮＦＣタイプ−Ａ（Ｔ４ＡＴ）、または衝突防止があるＮＦＣタイプ−Ｂ（Ｔ４ＢＴ）のいずれかを使用することができる。
【００２８】
[0039]一構成では、ワイヤレス通信デバイス１０２およびリモートデバイス１０４は、フレームＲＦインターフェース、ＩＳＯ−データ交換プロトコル（ＤＥＰ：data exchange protocol）ＲＦインターフェースおよびＮＦＣ−ＤＥＰ  ＲＦインターフェースなど、様々なインターフェースを通してＮＦＣを使用して通信するように動作可能であり得る。別の構成では、ワイヤレス通信デバイス１０２およびリモートデバイス１０４は、論理リンク制御プロトコル（ＬＬＣＰ）を通して定義されるリンクレイヤ接続を用いてＮＦＣ−ＤＥＰ  ＲＦプロトコルベース通信リンクを確立し得る。さらに別の構成では、ワイヤレス通信デバイス１０２およびリモートデバイス１０４は、アクセスネットワークおよび／またはコアネットワーク（たとえば、ＣＤＭＡネットワーク、ＧＰＲＳネットワーク、ＵＭＴＳネットワーク、ならびに他のタイプのワイヤラインおよびワイヤレス通信ネットワーク）に接続されるように動作可能であり得る。
【００２９】
[0040]別の動作モード１２４では、ワイヤレス通信デバイス１０２は、近くのＮＦＣデバイスにポーリングし得る。リモートデバイス１０４は、それがワイヤレス通信デバイス１０２の数センチメートル内に来たとき、リッスンし始め得る。ワイヤレス通信デバイス１０２は、次いで、どのシグナリング技術が使用され得るかを決定するために、リモートデバイス１０４と通信することになる。たとえば、ワイヤレス通信デバイス１０２がリーダーとして働いているとき、リモートデバイス１０４はワイヤレス通信デバイス１０２の放射界に入り得る。
【００３０】
[0041]リーダーモードにあるとき、ワイヤレス通信デバイス１０２は、リモートデバイス１０４と通信するためにＲＦ電界を生成し得る。ワイヤレス通信デバイス１０２は、リモートデバイス１０４に信号（たとえば、データ）を送るためにＲＦ電界を変調し得る。リモートデバイス１０４がその信号を受信すると、ワイヤレス通信デバイス１０２は、ＲＦ電界を維持するために持続波を送信し得る。持続波はキャリア周波数を有し得る。ＮＦＣの場合、キャリア周波数は１３．５６メガヘルツ（ＭＨｚ）であり得る。リモートデバイス１０４はＲＦ電界を受信し得る。リモートデバイス１０４は、持続波の上で変調を実行することによって応答し得る。ワイヤレス通信デバイス１０２は、被変調信号を受信し、それを復号することを試み得る。
【００３１】
[0042]ＮＦＣハードウェアシステムアーキテクチャは、動作モード１２４のうちの１つまたは複数を実行し得る。これらの動作モード１２４は個別の機能アクティビティである。たとえば、ＮＦＣシステムは、上記で説明されたように、リーダー／ライター（たとえば、リーダー）とカードエミュレーション（たとえば、ターゲット）とに関係するアクティビティを実行し得る。
【００３２】
[0043]一手法では、これらの動作モード１２４は個別のブロックをもつアーキテクチャにつながり、ブロックは、異なる動作モード１２４を実行するための回路を含む。たとえば、１つのブロックは、ＲＦポーリング動作（たとえば、スニッフィングまたはターゲット検出）に専用であり得る。別のブロックは、リーダー送信および受信動作に専用であり得る。別のブロックは、（受動負荷変調または能動負荷変調のいずれかの）ターゲット送信動作、およびターゲット受信動作に専用であり得る。
【００３３】
[0044]個別のブロックの各々は、ＮＦＣチップへの組込みのための１つまたは複数のピンを含み得る。しかしながら、特定のタスクを扱うための特定のブロックおよびパッケージピンの割振りは、実装するためにおよび組み込むために、費用がかかり、非効率的であり、時間がかかり得る。
【００３４】
[0045]本明細書のシステムおよび方法は、複数の動作モード１２４を実行するための、受信機信号合成ブロック１１６と組み合わせたＮＦＣ送信電力増幅器（ＰＡ）出力レプリカ１２０およびＰＡ出力コピー１２２の使用について説明する。これは、複数のＮＦＣ機能アクティビティ（すなわち、動作モード１２４）が、各動作モード１２４のための専用設計を実装する代わりに、同じＮＦＣブロック１０６によって引き受けられることを可能にし得る。
【００３５】
[0046]ワイヤレス通信デバイス１０２は、ＮＦＣ動作を実行するＮＦＣブロック１０６を含み得る。たとえば、ＮＦＣブロック１０６は、ＮＦＣプロトコルを使用してワイヤレス通信デバイス１０２とリモートデバイス１０４との間で通信チャネル１２６を確立し得る。ＮＦＣブロック１０６は、ＮＦＣコントローラ（ＮＦＣＣ）、ＮＦＣチップ、またはシステムオンチップ（ＳｏＣ）上のモジュールと呼ばれることもある。ＮＦＣブロック１０６は、送信機１０８と受信機１１８とを含み得る。
【００３６】
[0047]ＰＡ出力レプリカ１２０は、ＰＡ１１０の外部出力電圧および電流を反映し、したがって、チャネルプロパティの影響を複製することができる。これらのチャネルプロパティは、アンテナ１１４、マッチングネットワーク１１２、リモートデバイス１０４への結合、または何らかの負荷変調状態のうちの少なくとも１つに関する負荷状態を含み得る。
【００３７】
[0048]一実装形態では、ＮＦＣブロック１０６は、ＰＡ出力レプリカ１２０を生成するＰＡ出力レプリカ生成器１２５を（随意に）含み得る。ＰＡ出力レプリカ生成器１２５は、ＰＡ１１０とマッチングネットワーク１１２との間に（図示のように）結合され得るか、またはＰＡ１１０内に組み込まれ得る。一手法では、ＰＡ出力レプリカ生成器１２５は、ＰＡ出力段電流とＰＡ出力段電圧との比を忠実に複製する回路レベル電流／電圧ミラー回路であり得る。別の手法では、ＰＡ出力レプリカ生成器１２５は、電流および電圧検知トランスフォーマであり得る。別の手法では、ＰＡ出力レプリカ生成器１２５は、電磁干渉（ＥＭＩ）フィルタ（たとえば、ＩＳＭフィルタ）からのタップであり得る。また別の手法では、ＰＡ出力レプリカ生成器１２５は、電圧および電流の代わりに反射電力波と入射電力波とを測定するカプラであり得る。ＰＡ出力レプリカ１２０の生成は、図３に関してより詳細に説明される。
【００３８】
[0049]ＰＡ出力コピー１２２は、スケーリングされた送信信号コピーであり得る。ＰＡ出力コピー１２２は、アンテナ１１４、マッチングネットワーク１１２、リモートデバイス１０４への結合、および負荷変調状態による負荷状態の影響などのチャネルプロパティによって影響を受けない。
【００３９】
[0050]ＰＡ出力レプリカ１２０とＰＡ出力コピー１２２とを生成するために同じソース信号が使用され得ることに留意されたい。しかしながら、ＮＦＣブロック１０６は、ＰＡ出力レプリカ１２０に対してＰＡ出力コピー１２２の位相および振幅を独立して変更し得る。したがって、一例では、別個のデジタルアナログ変換器（ＤＡＣ）が、ＰＡ出力コピー１２２を生成し、スケーリングし得る。
【００４０】
[0051]一実装形態では、信号合成ブロック１１６は、（受信機加算とも呼ばれる）受信機ブロック加算を実行する加算器を含み得る。この実装形態では、信号合成ブロック１１６は、ＰＡ出力レプリカ１２０とＰＡ出力コピー１２２との時間領域加算を実行し得る。ＰＡ出力コピー１２２は、着信信号（たとえば、被変調信号）およびキャリア残差のみを残すために、ＰＡ出力レプリカ１２０から減算され得る。この実装形態は、消去およびキャリア相関のために構成され得る。
【００４１】
[0052]別の実装形態では、信号合成ブロック１１６はミキサを含み得る。この実装形態では、ミキサは、ＰＡ出力レプリカ１２０とＰＡ出力コピー１２２とを使用して周波数変換を実行し得る。たとえば、ＰＡ出力レプリカ１２０はＰＡ出力コピー１２２の負数を乗算され得る。残りの信号はキャリア周波数にあり得る。この残りの信号は、信号をＤＣにダウンさせるために、再びＰＡ出力コピー１２２を使用して受信機１１８中でミックスダウンされ得る。受信機１１８は、次いで、着信信号（たとえば、被変調信号）およびキャリア残差のみを残すためにＤＣを除去し得る。
【００４２】
[0053]また別の実装形態では、信号合成ブロック１１６は、受信機１１８のアナログデジタル変換器（ＡＤＣ）１２９を含み得る。この実装形態では、ＰＡ出力レプリカ１２０は受信機ＡＤＣ１２９の入力に与えられ得る。ＰＡ出力コピー１２２は受信機ＡＤＣ１２９のクロックに与えられ得る。ＡＤＣ１２９の得られた出力は、以下で説明されるように、ＲＦポーリングのために使用され得る。
【００４３】
[0054]信号合成ブロック１１６は、図１では受信機１１８の外部に示されているが、信号合成ブロック１１６はまた、受信機１１８内に含まれ得ることに留意されたい。さらに、ダウンコンバージョン（直接または中間周波数（ＩＦ）のいずれか）およびデジタル化が受信機１１８中で行われ得る。
【００４４】
[0055]ＰＡ出力レプリカ１２０は、外部マッチングネットワーク１１２およびアンテナ１１４に結合され得る。ＰＡ出力レプリカ１２０は信号合成ブロック１１６にも結合され得る。ＰＡ出力コピー１２２は信号合成ブロック１１６に結合され得る。ＰＡ出力レプリカ１２０およびＰＡ出力コピー１２２は内部で受信機経路にルーティングされ、外部受信機パッケージピンおよび関連する外部構成要素の必要はなくなり得る。
【００４５】
[0056]ＮＦＣブロック１０６は、ＰＡ出力レプリカ１２０と、ＰＡ出力コピー１２２と、信号合成ブロック１１６とを使用して、複数の動作モード１２４を実行し得る。ある動作モード１２４は、ワイヤレス通信デバイス１０２がリーダーとして動作するリーダーモードを含み得る。別の動作モード１２４は、ワイヤレス通信デバイス１０２がターゲットとして動作するターゲットモードを含み得る。また別の動作モード１２４は、ワイヤレス通信デバイス１０２が近くのＮＦＣデバイスにポーリングし得るＲＦポーリングモードを含み得る。
【００４６】
[0057]ある場合には、ワイヤレス通信デバイス１０２の動作モード１２４は、ターゲット受動負荷変調を用いたリーダーモードであり得る。この動作モード１２４では、ワイヤレス通信デバイス１０２はリーダーとして働いており、リモートデバイス１０４はターゲットである。ワイヤレス通信デバイス１０２は、リモートデバイス１０４に発信キャリアを送り得る。たとえば、送信機１０８のＰＡ１１０が、リモートデバイス１０４への送信のためにキャリアをマッチングネットワーク１１２およびアンテナ１１４に送り得る。
【００４７】
[0058]リモートデバイス１０４は、発信キャリアを受信し、そのキャリア上で受動負荷変調を実行することによって応答し得る。発信キャリアの着信負荷変調を含むＰＡ出力レプリカ１２０が信号合成ブロック１１６に供給され得る。このようにして、ワイヤレス通信デバイス１０２は、ターゲット受動負荷変調を用いたリーダーモードにあるとき、発信キャリアの着信負荷変調を検知し得る。
【００４８】
[0059]着信負荷変調信号およびキャリア残差だけを残すために発信キャリアを取り去るために、ＰＡ出力コピー１２２が信号合成ブロック１１６に供給され得る。本明細書で使用される「取り去る」または「取り去ること」という用語は信号の消去を指す。したがって、この場合、信号合成ブロック１１６は発信キャリアの消去を実行し得る。これは、ＰＡ出力レプリカ１２０からＰＡ出力コピー１２２を減算することによって達成され得る。得られた負荷変調信号は、受信機１１８によってさらに処理され得る。
【００４９】
[0060]別の場合には、ワイヤレス通信デバイス１０２の動作モード１２４は、着信ターゲット能動負荷変調（ＡＬＭ）を用いたリーダーモードであり得る。この動作モード１２４では、ワイヤレス通信デバイス１０２はリーダーとして働いており、リモートデバイス１０４はターゲットである。
【００５０】
[0061]受動負荷変調の欠陥を補償するために、ターゲットデバイスは能動負荷変調（ＡＬＭ）を使用し得る。ＡＬＭを用いて、代替回路手法は、ターゲットデバイスをリーダーデバイスからの信号に同期させることに基づく。ターゲットデバイスは、リーダーデバイスから受信された信号を再生成し得る。ターゲットデバイスは、次いで、位相同期被変調信号をリーダーデバイスに再送信し得る。ＡＬＭを用いて、リーダーデバイスにおいて受信された変調の得られたレベルは、旧来の受動（たとえば、抵抗性）負荷変調によって生成された変調レベルよりも高くなり得る。
【００５１】
[0062]着信ターゲットＡＬＭを用いたリーダーモードで動作しているとき、ワイヤレス通信デバイス１０２は、上記で説明されたようにリモートデバイス１０４に発信キャリアを送り得る。リモートデバイス１０４は、次いで、そのキャリア上でＡＬＭを実行し得る。
【００５２】
[0063]発信キャリアの着信能動負荷変調を検知するために、ＰＡ出力レプリカ１２０が信号合成ブロック１１６に供給され得る。着信能動負荷変調信号およびキャリア残差だけを残すために発信キャリアを取り去るために、ＰＡ出力コピー１２２が信号合成ブロック１１６に供給される。得られた変調信号は、受信機１１８によってさらに処理され得る。
【００５３】
[0064]別の場合には、ワイヤレス通信デバイス１０２の動作モード１２４はターゲットモードであり得る。この動作モード１２４では、ワイヤレス通信デバイス１０２はターゲットとして働いており、リモートデバイス１０４はリーダーである。ワイヤレス通信デバイス１０２は、その場合、リモートデバイス１０４から被変調信号を受信し得る。
【００５４】
[0065]極めて低いレベルまたは無キャリアレベルが、ＮＦＣブロック１０６をマッチングネットワーク１１２に接続する外部出力にＰＡ１１０によって送信され得る。たとえば、ＮＦＣブロック１０６が、１つまたは複数のパッケージピンを使用してマッチングネットワーク１１２に接続される一実装形態では、ＰＡ１１０は、そのピン上でマッチングネットワーク１１２に低レベルまたは無キャリアレベルを送信し得る。これは、マッチングネットワーク１１２およびアンテナ１１４への被制御出力インピーダンス接続を維持する。この回路を、切断されたままにし、より高いインピーダンスにあるままにすることは、ＮＦＣチップのパッケージピンにおける減衰されていない応答および高い誘発電圧レベルにつながり、場合によっては回路に損傷を与え得る。したがって、低レベル（または無レベル）キャリアを送信することは、被制御出力インピーダンスを維持し、この損傷状態を防ぎ得る。
【００５５】
[0066]外部リーダー（たとえば、リモートデバイス１０４）からの着信キャリアの変調を検知するために、ＰＡ出力レプリカ１２０が信号合成ブロック１１６に供給され得る。一実装形態では、着信変調信号およびキャリア残差だけを残すために、（外部リーダーからの）着信キャリアと整合する、重み付けされた出力レベルをもつＰＡ出力コピー１２２が信号合成ブロック１１６に供給され得る。得られた変調信号は、受信機１１８によってさらに処理され得る。
【００５６】
[0067]送信機１０８は、重み付けされた出力レベルを生成し得る出力コピー調整ブロック１２７を随意に含み得る。（重み付けされたコピーレベルとも呼ばれる）重み付けされた出力レベルは、ワイヤレス通信デバイス１０２が信号合成ブロック１１６の出力においてＰＡ出力コピー１２２の影響を最小限に抑えることを保証するために使用され得る。ＰＡ出力レプリカ１２０のレベルは、ＰＡ１１０が、それの利得を、チャネル影響によるマッチングネットワーク１１２および／またはアンテナ１１４のインピーダンスの変化を補償するように調整するにつれて、変化し得る。たとえば、マッチングネットワーク１１２および／またはアンテナ１１４のインピーダンスが、負荷変調またはリモートデバイス１０４との結合により変化するにつれて、ＰＡ出力レプリカ１２０の電流は変化し得る。したがって、ＰＡ出力レプリカ１２０のレベルは、チャネル影響を受けないＰＡ出力コピー１２２のレベルとは異なり得る。
【００５７】
[0068]しかしながら、ＰＡ出力レプリカ１２０からあまりに少なくまたはあまりに多く減算することにより、所望の被変調信号に対してキャリア残差があまりに大きくなることがある。出力コピー調整ブロック１２７は、ＰＡ出力レプリカ１２０レベルとの差を最小限に抑えるようにＰＡ出力コピー１２２のレベルを調整し得る。
【００５８】
[0069]ワイヤレス通信デバイス１０２は、着信キャリア上で位相ロックを実行し得る。着信キャリア位相、周波数および振幅整合は、加算誤差を処理することによって推定され得る。一実装形態では、これは、位相／周波数および振幅ロックループを使用して達成され得る。ワイヤレス通信デバイス１０２が、振幅との位相／周波数の整合をより多く達成するほど、出力において見られる誤差は少なくなる。適応アルゴリズムは、誤差を最小限に抑えるように、周波数、位相および振幅パラメータを調整し得る。外部リーダー（すなわち、リモートデバイス１０４）から導出された基準クロックを保持するために、着信キャリア信号の消去ではなく、キャリア整合が所望の目的である。
【００５９】
[0070]また別の場合には、ワイヤレス通信デバイス１０２の動作モード１２４は、能動負荷変調（ＡＬＭ）を用いたターゲットモードであり得る。この動作モード１２４では、ワイヤレス通信デバイス１０２はターゲットとして働いており、リモートデバイス１０４はリーダーである。ワイヤレス通信デバイス１０２は、リモートデバイス１０４から被変調信号を受信し得る。ワイヤレス通信デバイス１０２はまた、リモートデバイス１０４に関してＡＬＭを実行し得る。
【００６０】
[0071]この動作モード１２４では、送信されるＡＬＭサブキャリアはＰＡ１１０によって送られる。この場合も、ＮＦＣブロック１０６は、回路に損傷を与え得る、チップパッケージピンにおける減衰されていない応答および高い誘発電圧レベルにつながる、回路を、切断されたままにし、より高いインピーダンスにあるままにすることとは対照的に、マッチングネットワーク１１２およびアンテナ１１４への被制御出力インピーダンス接続を維持する。
【００６１】
[0072]送信されるＡＬＭと、リモートデバイス１０４からの着信キャリアの変調とを検知するために、ＰＡ出力レプリカ１２０が信号合成ブロック１１６に供給される。リモートデバイス１０４からの着信キャリア上の被変調信号だけを残すために発信ＡＬＭサブキャリアと着信キャリアとを取り去るために、ＰＡ出力コピー１２２が信号合成ブロック１１６に供給される。
【００６２】
[0073]着信キャリア上での位相ロックが、上記で説明されたように実行され得る。しかしながら、リモートデバイス１０４から導出された基準クロックを保持するために、発信ＡＬＭサブキャリア信号の消去が望まれる。
【００６３】
[0074]また別の場合には、ワイヤレス通信デバイス１０２の動作モード１２４はＲＦポーリングモードであり得る。この動作モード１２４では、ワイヤレス通信デバイス１０２は、外部デバイス（たとえば、リモートデバイス１０４）にポーリングし得る。ＰＡ１１０は発信ポーリング信号を送信し得る。ポーリング信号は、ＰＡ１１０によって送信される低レベルキャリア周波数掃引、マルチトーンまたは広帯域（たとえば、パルス、擬似ランダムバイナリシーケンス（ＰＲＢＳ：pseudo random binary sequence）など）信号であり得る。
【００６４】
[0075]ワイヤレス通信デバイス１０２は、発信ポーリング信号とチャネル影響とを検知し得る。ＰＡ出力レプリカ１２０が、信号合成ブロック１１６に与えられ得、送信されたポーリング信号と出力チャネル１２６のプロパティからの影響とを含んでいることがある。たとえば、リモートデバイス１０４がワイヤレス通信デバイス１０２の近傍に入った場合、チャネルプロパティは、ワイヤレス通信デバイス１０２とリモートデバイス１０４との間の結合により変化し得る。チャネル影響のための信号レベルは、信号合成ブロック１１６においてＰＡ出力レプリカ１２０からＰＡ出力コピー１２２を減算することによって決定され得る。
【００６５】
[0076]ワイヤレス通信デバイス１０２は、信号レベルの変化に基づいて結合物体（たとえば、リモートデバイス１０４）の存在を決定し得る。リモートデバイス１０４がワイヤレス通信デバイス１０２に近づくにつれて、ＰＡ出力レプリカ１２０とＰＡ出力コピー１２２との間の差が増加し、結合物体の存在を示し得る。
【００６６】
[0077]一実装形態では、信号合成ブロック１１６は、ＲＦポーリング中にダウンコンバージョンを実行しないことがある。この実装形態では、信号合成ブロック１１６によって生成される信号は、ＰＡ出力レプリカ１２０とＰＡ出力コピー１２２との減算である。この場合、信号合成ブロック１１６は、ＰＡ出力レプリカ１２０とＰＡ出力コピー１２２との時間領域加算を実行するブロックであり得る。結果は、チャネルプロパティに従って周波数帯域にわたって変動することになる。この信号のダウンコンバージョンは、後で受信機１１８中で起こり得る。
【００６７】
[0078]別の実装形態では、ＰＡ出力レプリカ１２０をデジタル化するために、完全または部分受信機チェーン、あるいはアナログデジタル変換器（ＡＤＣ）１２９だけが使用され得る。この実装形態では、信号合成ブロック１１６は受信機１１８のＡＤＣ１２９であり得る。ワイヤレス通信デバイス１０２は、ＰＡ出力レプリカ１２０を受信機ＡＤＣ１２９の入力に与えることによって発信ポーリング信号とチャネル影響とを検知し得る。
【００６８】
[0079]この実装形態では、ＰＡ出力レプリカ１２０はＡＤＣ１２９の入力周波数であり得る。ＰＡ出力コピー１２２は、ＡＤＣ１２９のための可変または乗算されたクロック周波数として使用され得る。ＡＤＣ１２９クロックは、チャネル帯域幅全体をデジタル化するために、送信されたポーリング信号における周波数と同じ周波数上でまたはその近くで掃引され、あるいは分析されるべきチャネル周波数の倍数において掃引され得る。したがって、チャネル帯域幅内の周波数上のチャネル１２６の影響をキャプチャする、対応するデジタルコード（たとえば、ＤＣコード）が生成される。ＡＤＣ１２９において入力周波数とクロック周波数とが同じである場合、これは、毎回同じ電圧をサンプリングすることにより、周波数をＤＣにミックスダウンする。
【００６９】
[0080]リモートデバイス１０４の存在により環境が変化した場合、共振ピークが移動し得、結合物体によるこの共振ピーク移動は結合物体アーティファクトと呼ばれることがある。この共振ピーク移動は、周波数ポーリングに関してまたは振幅に関して発生し得る。共振ピークが変化した場合、デジタルコードが変化することになる。ワイヤレス通信デバイス１０２は、この移動を検出するためにデジタルコードを調べ得る。デジタルコードの移動はリモートデバイス１０４の存在を示し得る。
【００７０】
[0081]アンテナ１１４およびマッチングネットワーク１１２の共振と、ワイヤレス通信デバイス１０２の近傍にある結合物体（たとえば、リモートデバイス１０４）による共振とへの影響は、チャネル１２６の周波数範囲にわたってデジタル的に記録され得る。結合物体に関する環境の変化が発生した場合、アンテナ／整合ネットワークの共振および結合物体の共振の対応する変化があることになる。言い換えれば、結合物体アーティファクトのシフト（たとえば、移動）があり得る。これは、チャネル１２６の対応する周波数におけるデジタルコードの変化において反映されることになる。
【００７１】
[0082]一手法では、ワイヤレス通信デバイス１０２は、より高次の周波数におけるＰＡ出力コピー１２２を受信機ＡＤＣ１２９のクロックとして使用することによってチャネル影響のための信号レベルを決定し得る。別の手法では、ワイヤレス通信デバイス１０２は、得られた直接ダウンコンバートされた信号レベルの変化に基づいて結合物体の存在を決定し得る。（たとえば、ＤＣへの）ダウンコンバージョンは、ここでは、ＡＤＣ１２９クロックと入力信号とを相関させることによって、ＡＤＣ１２９によって直接行われ得る。この手法では、ワイヤレス通信デバイス１０２は、送信されたポーリング信号（すなわち、ＰＡ出力レプリカ１２０）における周波数と同じ周波数におけるまたはその近くのＰＡ出力コピー１２２を受信機ＡＤＣ１２９のクロックとして使用することによってチャネル影響のための信号レベルを決定し得る。上記で説明されたように、結合物体による共振の変化は、ＡＤＣ１２９によって生成されたデジタルコードに対する変化において検出され得る。これらのデジタルコードは、チャネル影響のための信号レベルを決定するために使用され得る。
【００７２】
[0083]ＰＡ出力レプリカ１２０信号およびＰＡ出力コピー１２２信号は、位相、周波数および振幅整合のための多くの可能性を有する。これらは、互いに対して、および着信受信信号に対して変動され得る。多相、マルチトーンおよび振幅可変整合が、ＮＦＣブロック１０６のアナログ部分、デジタル部分、またはアナログ部分とデジタル部分の両方の組合せにおいて実装され得る。
【００７３】
[0084]説明されるシステムおよび方法は、より少数のハードウェア構成要素を利用するＮＦＣベース通信を生じることになる。様々なＮＦＣ機能アクティビティ（たとえば、リーダー、ターゲット、ポーリングなど）のための個別のブロックの代わりに、ＮＦＣブロック１０６は、異なるＮＦＣ機能を実装するために、単一の送信機１０８および受信機１１８を使用して異なる動作モード１２４を実現し得る。所望の結果は、ＮＦＣブロック１０６中のブロックおよびパッケージピンの数を低減することであり、これは、さらに、ＮＦＣブロック１０６のサイズおよびコストを低減し得る。
【００７４】
[0085]図２は、マルチモード誘導結合通信のための方法２００を示す流れ図である。方法２００はワイヤレス通信デバイス１０２によって実行され得る。ワイヤレス通信デバイス１０２は、リモートデバイス１０４との通信のためのＮＦＣ回路で構成され得る。ＮＦＣ回路は、ＮＦＣブロック１０６とＮＦＣアンテナ回路（たとえば、ＮＦＣアンテナ１１４およびマッチングネットワーク１１２）とを含み得る。
【００７５】
[0086]ワイヤレス通信デバイス１０２は、２０２において、誘導結合通信のための動作モード１２４を決定する。ワイヤレス通信デバイス１０２は、ＮＦＣを使用して誘導結合通信を実行し得る。ワイヤレス通信デバイス１０２は、リーダーモードで動作すべきなのか、ターゲットモードで動作すべきなのか、ＲＦポーリングモードで動作すべきなのかを決定し得る。動作モード１２４は、ワイヤレス通信デバイス１０２上で実行している１つまたは複数のアプリケーションに基づいて選択され得る。
【００７６】
[0087]ワイヤレス通信デバイス１０２は、２０４において、受信機１１８の信号合成ブロック１１６において送信電力増幅器（ＰＡ）出力レプリカ１２０とＰＡ出力コピー１２２とを合成することによって動作モード１２４を実行する。ＰＡ出力レプリカ１２０はチャネルプロパティの影響を反映し得る。チャネルプロパティは、アンテナ１１４、マッチングネットワーク１１２、リモートデバイス１０４への結合、または負荷変調のうちの少なくとも１つに関する負荷状態を含み得る。ＰＡ出力コピー１２２はチャネルプロパティによって影響を受けないことがある。
【００７７】
[0088]一実装形態では、信号合成ブロック１１６は、ＰＡ出力レプリカ１２０とＰＡ出力コピー１２２との時間領域加算を実行する加算器を含み得る。ＰＡ出力コピー１２２はＰＡ出力レプリカ１２０から減算され得る。この実装形態は、消去およびキャリア相関のために構成され得る。
【００７８】
[0089]別の実装形態では、信号合成ブロック１１６はミキサを含み得る。ミキサは、ＰＡ出力レプリカ１２０とＰＡ出力コピー１２２とを使用して周波数変換を実行し得る。
【００７９】
[0090]また別の実装形態では、信号合成ブロック１１６は、ＰＡ出力レプリカ１２０をデジタル化するために使用され得る受信機１１８のアナログデジタル変換器（ＡＤＣ）１２９であり得る。この実装形態では、ＰＡ出力レプリカ１２０は受信機ＡＤＣ１２９の入力に与えられ得る。ＰＡ出力コピー１２２は受信機ＡＤＣ１２９のクロックに与えられ得る。
【００８０】
[0091]ワイヤレス通信デバイス１０２は、図５に関して説明されるように、ターゲット負荷変調を用いたリーダーモードを実行し得る。ターゲットモードは、図６に関して説明されるように実行され得る。能動負荷変調（ＡＬＭ）を用いたターゲットモードは、図７に関して説明されるように実行され得る。ＲＦポーリングモードは、図８〜図１０に関して説明されるように実行され得る。
【００８１】
[0092]図３は、マルチモードＮＦＣのためのワイヤレス通信デバイス３０２の一例を示すブロック図である。ワイヤレス通信デバイス３０２は、リモートデバイス３０４とのＮＦＣ動作を実行するためのＮＦＣブロック３０６を含み得る。たとえば、ＮＦＣブロック３０６は、ＮＦＣプロトコルを使用してワイヤレス通信デバイス３０２とリモートデバイス３０４との間で通信チャネル３２６を確立し得る。
【００８２】
[0093]ＮＦＣブロック３０６は、送信電力増幅器（ＰＡ）３１０ａと受信機３１８とを含み得る。ＰＡ３１０ａは、信号源３２８ａから信号を受信し得る。ＰＡ３１０ａは、２つのピン３３２ａ、３３２ｂを介してマッチングネットワーク３１２に結合され得る。一実装形態では、マッチングネットワーク３１２は３つのキャパシタ３３０ａ〜ｃを含み得る。マッチングネットワーク３１２はアンテナ３１４に結合され得る。一実装形態では、アンテナ３１４はコイルまたはループアンテナであり得る。
【００８３】
[0094]ＮＦＣブロック３０６は、ＰＡ３１０の外部出力電圧および電流を反映するＰＡ出力レプリカ３２０を生成し得る。したがって、ＰＡ出力レプリカ３２０はチャネルプロパティの影響を複製し得る。これらのチャネルプロパティは、アンテナ３１４、マッチングネットワーク３１２、リモートデバイス３０４への結合、およびすべての負荷変調状態のうちの少なくとも１つに関する負荷状態を含み得る。
【００８４】
[0095]一実装形態では、ＰＡ出力レプリカ３２０は、ＰＡ出力段電流とＰＡ出力段電圧との比を忠実に複製する回路レベル電流／電圧ミラー回路を使用して生成され得る。別の実装形態では、ＰＡ出力レプリカ３２０は、電流および電圧検知トランスフォーマを用いて生成され得る。電流および電圧検知トランスフォーマはＥＭＩフィルタの一部であり得る。また別の実装形態では、ＰＡ出力レプリカ３２０は、電圧および電流の代わりに反射電力波（ａ）と入射電力波（ｂ）とを測定するカプラを用いて生成され得る。ＰＡ３１０電圧ｖは、ｖ＝ｋ（ａ＋ｂ）であるようにａおよびｂに関係し、ただし、ｋは、カプラのための基準インピーダンスに関係する固定定数である。
【００８５】
[0096]ＮＦＣブロック３０６は、スケーリングされた送信信号コピーであるＰＡ出力コピー３２２を生成し得る。ＰＡ出力コピー３２２は、アンテナ３１４、マッチングネットワーク３１２、リモートデバイス３０４への結合、および負荷変調状態による負荷状態の影響などのチャネルプロパティによって影響を受けない。ＰＡ出力コピー３２２は、外部の回路によってアンロードされるダミー送信ＰＡ信号であり得る。ＰＡ出力コピー３２２はフルサイズである必要がないので、信号（電圧／電流）振幅は、電圧／電流比を調整することによってスケーリングされ得る。
【００８６】
[0097]ＰＡ出力レプリカ３２０とＰＡ出力コピー３２２とを生成するために同じ信号源３２８およびＰＡ３１０が使用され得ることに留意されたい。しかしながら、ＮＦＣブロック３０６は、ＰＡ出力レプリカ３２０に対してＰＡ出力コピー３２２の位相および振幅を独立して変更し得る。したがって、一例では、別個のデジタルアナログ変換器（ＤＡＣ）が、ＰＡ出力コピー３２２を生成し、スケーリングし得る。したがって、ＰＡ出力コピー３２２を生成するための別個の信号源３２８ｂおよびＰＡ３１０ｂが図３に示されている。
【００８７】
[0098]ＰＡ出力レプリカ３２０およびＰＡ出力コピー３２２は加算器３１６に与えられ得る。加算器３１６は、図１の信号合成ブロック１１６の一実装形態であり得る。加算器３１６は、ＰＡ出力レプリカ３２０とＰＡ出力コピー３２２との時間領域加算を実行し得る。ＰＡ出力コピー３２２はＰＡ出力レプリカ３２０から減算され得る。加算器３１６の出力は受信機３１８に与えられ得る。ダウンコンバージョン（直接または中間周波数（ＩＦ）のいずれか）およびデジタル化が受信機３１８中で行われ得る。
【００８８】
[0099]この実装形態は、消去およびキャリア相関のために構成され得る。ＰＡ出力レプリカ３２０およびＰＡ出力コピー３２２は内部で受信機経路にルーティングされるので、これにより、外部受信機パッケージピンおよび関連する外部構成要素の必要はなくなる。
【００８９】
[00100]図４は、マルチモードＮＦＣのためのワイヤレス通信デバイス４０２の別の例を示すブロック図である。ワイヤレス通信デバイス４０２は、リモートデバイス４０４とのＮＦＣ動作を実行するためのＮＦＣブロック４０６を含み得る。たとえば、ＮＦＣブロック４０６は、ＮＦＣプロトコルを使用してワイヤレス通信デバイス４０２とリモートデバイス４０４との間で通信チャネル４２６を確立し得る。
【００９０】
[00101]ＮＦＣブロック４０６は、信号源４２８ａと、ＰＡ４１０ａと、受信機４１８とを含み得る。ＰＡ４１０ａは、２つのピン４３２ａ、４３２ｂを介してマッチングネットワーク４１２に結合され得る。一実装形態では、マッチングネットワーク４１２は３つのキャパシタ４３０ａ〜ｃを含み得る。マッチングネットワーク４１２はアンテナ４１４に結合され得る。
【００９１】
[00102]ＮＦＣブロック４０６は、図３に関して説明されたようにＰＡ出力レプリカ４２０とＰＡ出力コピー４２２とを生成し得る。上記で説明されたように、ＮＦＣブロック４０６は、ＰＡ出力レプリカ４２０に対してＰＡ出力コピー４２２の位相および振幅を独立して変更し得る。したがって、ＰＡ出力コピー４２２を生成するための別個の信号源４２８ｂおよびＰＡ４１０ｂが図４に示されている。しかしながら、ＰＡ出力レプリカ４２０とＰＡ出力コピー４２２とを生成するために同じ信号源４２８およびＰＡ４１０が使用され得る。
【００９２】
[00103]この実装形態では、ＮＦＣブロック４０６はミキサ４１６を含み得る。ＰＡ出力レプリカ４２０およびＰＡ出力コピー４２２はミキサ４１６に与えられ得る。ミキサ４１６は、図１の信号合成ブロック１１６の一実装形態であり得る。ミキサ４１６は、ＰＡ出力レプリカ４２０およびＰＡ出力コピー４２２の周波数変換を実行し得る。ミキサ４１６の出力は受信機４１８に与えられ得る。ミキサ４１６の出力はＤＣにマッピングされ得る。受信機４１８は、デジタル化を実行し、ミキサ出力信号からＤＣ成分を除去し得る。
【００９３】
[00104]図５は、ターゲット負荷変調を用いたリーダーモードを実行するための方法５００を示す流れ図である。方法５００はワイヤレス通信デバイス１０２によって実装され得る。ワイヤレス通信デバイス１０２は、リモートデバイス１０４との通信のためのＮＦＣブロック１０６で構成され得る。ＮＦＣブロック１０６は、ＰＡ出力レプリカ１２０と、ＰＡ出力コピー１２２と、信号合成ブロック１１６とを使用して、複数の動作モード１２４を実行し得る。
【００９４】
[00105]ワイヤレス通信デバイス１０２は、５０２において、ＮＦＣのための動作モード１２４が、ターゲット受動負荷変調を用いたリーダーモードであると決定する。この動作モード１２４では、ワイヤレス通信デバイス１０２はリーダーとして働いており、リモートデバイス１０４はターゲットである。
【００９５】
[00106]ワイヤレス通信デバイス１０２は、５０４において、発信キャリアを送信する。ワイヤレス通信デバイス１０２は、リモートデバイス１０４に発信キャリアを送り得る。たとえば、送信機１０８のＰＡ１１０が、リモートデバイス１０４への送信のためにキャリアをマッチングネットワーク１１２およびアンテナ１１４に送り得る。
【００９６】
[00107]ワイヤレス通信デバイス１０２は、５０６において、ＰＡ出力レプリカ１２０を信号合成ブロック１１６に与えることによって発信キャリアの着信負荷変調を検知する。リモートデバイス１０４は、発信キャリアを受信し、そのキャリア上で受動負荷変調を実行することによって応答し得る。発信キャリアの着信負荷変調を含むＰＡ出力レプリカ１２０が信号合成ブロック１１６に供給され得る。このようにして、ワイヤレス通信デバイス１０２は発信キャリアの着信負荷変調を検知し得る。
【００９７】
[00108]ワイヤレス通信デバイス１０２は、５０８において、着信負荷変調信号およびキャリア残差を分離するために、ＰＡ出力コピー１２２を用いて信号合成ブロック１１６において発信キャリアを取り去る。たとえば、信号合成ブロック１１６は発信キャリアの消去を実行し得る。これは、ＰＡ出力レプリカ１２０からＰＡ出力コピー１２２を減算することによって達成され得る。得られた負荷変調信号は、受信機１１８によってさらに処理され得る。
【００９８】
[00109]リモートデバイス１０４が能動負荷変調（ＡＬＭ）を実行する場合、発信キャリアの着信能動負荷変調を検知するために、ＰＡ出力レプリカ１２０が信号合成ブロック１１６に供給され得る。着信能動負荷変調信号およびキャリア残差だけを残すために発信キャリアを取り去るために、ＰＡ出力コピー１２２が信号合成ブロック１１６に供給され得る。
【００９９】
[00110]図６は、ターゲットモードを実行するための方法６００を示す流れ図である。方法６００はワイヤレス通信デバイス１０２によって実装され得る。ワイヤレス通信デバイス１０２は、リモートデバイス１０４との通信のためのＮＦＣブロック１０６で構成され得る。ＮＦＣブロック１０６は、ＰＡ出力レプリカ１２０と、ＰＡ出力コピー１２２と、信号合成ブロック１１６とを使用して、複数の動作モード１２４を実行し得る。
【０１００】
[00111]ワイヤレス通信デバイス１０２は、６０２において、ＮＦＣ動作モード１２４がターゲットモードであると決定する。この動作モード１２４では、ワイヤレス通信デバイス１０２はターゲットとして働いており、リモートデバイス１０４はリーダーである。ワイヤレス通信デバイス１０２は、リモートデバイス１０４から被変調信号を受信し得る。
【０１０１】
[00112]ワイヤレス通信デバイス１０２は、６０４において、マッチングネットワーク１１２およびアンテナ１１４における被制御出力インピーダンス接続を維持するために低レベル発信キャリアを送信する。これは、マッチングネットワーク１１２およびアンテナ１１４への被制御出力インピーダンス接続を維持する。
【０１０２】
[00113]ワイヤレス通信デバイス１０２は、６０６において、ＰＡ出力レプリカ１２０を信号合成ブロック１１６に与えることによって着信キャリアの着信変調を検知する。外部リーダー（たとえば、リモートデバイス１０４）からの着信キャリアの着信変調を検知するために、ＰＡ出力レプリカ１２０が信号合成ブロック１１６に供給され得る。
【０１０３】
[00114]ワイヤレス通信デバイス１０２は、６０８において、リモートデバイス１０４からの着信変調信号を分離するために、重み付けされた出力レベルをもつＰＡ出力コピー１２２を用いて信号合成ブロック１１６において発信キャリアと着信キャリアとを取り去る。たとえば、信号合成ブロック１１６は、ＰＡ出力レプリカ１２０から、重み付けされた出力レベルをもつＰＡ出力コピー１２２を減算し得る。これは、着信変調信号およびキャリア残差だけを残すために、発信キャリアと着信キャリアとを消去し得る。
【０１０４】
[00115]図７は、能動負荷変調（ＡＬＭ）を用いたターゲットモードを実行するための方法７００を示す流れ図である。方法７００はワイヤレス通信デバイス１０２によって実装され得る。ワイヤレス通信デバイス１０２は、リモートデバイス１０４との通信のためのＮＦＣブロック１０６で構成され得る。ＮＦＣブロック１０６は、ＰＡ出力レプリカ１２０と、ＰＡ出力コピー１２２と、信号合成ブロック１１６とを使用して、複数の動作モード１２４を実行し得る。
【０１０５】
[00116]ワイヤレス通信デバイス１０２は、７０２において、ＮＦＣ動作モード１２４が、ＡＬＭを用いたターゲットモードであると決定する。この動作モード１２４では、ワイヤレス通信デバイス１０２はターゲットとして働いており、リモートデバイス１０４はリーダーである。ワイヤレス通信デバイス１０２は、リモートデバイス１０４から被変調信号を受信し得る。ワイヤレス通信デバイス１０２はまた、リモートデバイス１０４に関してＡＬＭを実行し得る。
【０１０６】
[00117]ワイヤレス通信デバイス１０２は、７０４において、発信ＡＬＭサブキャリアを送信する。たとえば、ＰＡ１１０が、リモートデバイス１０４への送信のためにＡＬＭサブキャリアをマッチングネットワーク１１２およびアンテナ１１４に与え得る。ワイヤレス通信デバイス１０２はまた、回路に損傷を与え得る、チップパッケージピンにおける減衰されていない応答および高い誘発電圧レベルにつながる、回路を、切断されたままにし、より高いインピーダンスにあるままにすることとは対照的に、マッチングネットワーク１１２およびアンテナ１１４への被制御出力インピーダンス接続を維持し得る。
【０１０７】
[00118]ワイヤレス通信デバイス１０２は、７０６において、ＰＡ出力レプリカ１２０を信号合成ブロック１１６に与えることによって発信ＡＬＭサブキャリアと着信キャリアの着信変調とを検知する。７０６において、発信ＡＬＭサブキャリアと、外部リーダー（たとえば、リモートデバイス１０４）からの着信キャリアの着信変調とを検知するために、ＰＡ出力レプリカ１２０が信号合成ブロック１１６に供給され得る。
【０１０８】
[00119]ワイヤレス通信デバイス１０２は、７０８において、着信キャリア上の着信被変調信号を分離するために、ＰＡ出力コピー１２２を用いて信号合成ブロック１１６において発信ＡＬＭサブキャリアと着信キャリアとを取り去る。たとえば、ＰＡ出力コピー１２２は信号合成ブロック１１６に供給され得る。信号合成ブロック１１６は、ＰＡ出力レプリカ１２０からＰＡ出力コピー１２２を減算し得る。これは、着信被変調信号およびキャリア残差だけを残すために、発信ＡＬＭサブキャリアと着信キャリアとを消去し得る。
【０１０９】
[00120]図８は、ＲＦポーリングモードを実行するための方法８００の一構成を示す流れ図である。方法８００はワイヤレス通信デバイス１０２によって実装され得る。ワイヤレス通信デバイス１０２は、リモートデバイス１０４との通信のためのＮＦＣブロック１０６で構成され得る。ＮＦＣブロック１０６は、ＰＡ出力レプリカ１２０と、ＰＡ出力コピー１２２と、信号合成ブロック１１６とを使用して、複数の動作モード１２４を実行し得る。
【０１１０】
[00121]ワイヤレス通信デバイス１０２は、８０２において、ＮＦＣ動作モード１２４がＲＦポーリングモードであると決定する。この動作モード１２４では、ワイヤレス通信デバイス１０２は、外部デバイス（たとえば、リモートデバイス１０４）にポーリングし得る。
【０１１１】
[00122]ワイヤレス通信デバイス１０２は、８０４において、発信ポーリング信号を送信する。ポーリング信号は、外部出力（たとえば、マッチングネットワーク１１２およびアンテナ１１４にＰＡ１１０によって送信される低レベルキャリア周波数掃引、マルチトーンまたは広帯域（たとえば、パルス、ＰＲＢＳなど）信号であり得る。
【０１１２】
[00123]ワイヤレス通信デバイス１０２は、８０６において、ＰＡ出力レプリカ１２０を信号合成ブロック１１６に与えることによって発信ポーリング信号とチャネル影響とを検知する。ＰＡ出力レプリカ１２０は、送信されたポーリング信号と出力チャネル１２６プロパティからの影響とを含んでいることがある。
【０１１３】
[00124]ワイヤレス通信デバイス１０２は、８０８において、信号合成ブロック１１６においてＰＡ出力レプリカ１２０からＰＡ出力コピー１２２を減算することによってチャネル影響のための信号レベルを決定する。この場合、信号合成ブロック１１６は、ＰＡ出力レプリカ１２０とＰＡ出力コピー１２２との時間領域加算を実行する加算器３１６ブロックであり得る。
【０１１４】
[00125]ワイヤレス通信デバイス１０２は、８１０において、信号レベルの変化に基づいて結合物体（たとえば、リモートデバイス１０４）の存在を決定する。結果は、チャネルプロパティに従って周波数帯域にわたって変動することになる。
【０１１５】
[00126]図９は、ＲＦポーリングモードを実行するための方法９００の別の構成を示す流れ図である。方法９００はワイヤレス通信デバイス１０２によって実装され得る。ワイヤレス通信デバイス１０２は、リモートデバイス１０４との通信のためのＮＦＣブロック１０６で構成され得る。ＮＦＣブロック１０６は、ＰＡ出力レプリカ１２０と、ＰＡ出力コピー１２２と、信号合成ブロック１１６とを使用して、複数の動作モード１２４を実行し得る。この実装形態では、信号合成ブロック１１６は受信機アナログデジタル変換器（ＡＤＣ）１２９を含み得る
[00127]ワイヤレス通信デバイス１０２は、９０２において、ＮＦＣ動作モード１２４がＲＦポーリングモードであると決定する。この動作モード１２４では、ワイヤレス通信デバイス１０２は、外部デバイス（たとえば、リモートデバイス１０４）にポーリングし得る。
【０１１６】
[00128]ワイヤレス通信デバイス１０２は、９０４において、発信ポーリング信号を送信する。ポーリング信号は、外部出力（たとえば、マッチングネットワーク１１２およびアンテナ１１４にＰＡ１１０によって送信される低レベルキャリア周波数掃引、マルチトーンまたは広帯域（たとえば、パルス、ＰＲＢＳなど）信号であり得る。
【０１１７】
[00129]ワイヤレス通信デバイス１０２は、９０６において、ＰＡ出力レプリカを受信機ＡＤＣ１２９の入力に与えることによって発信ポーリング信号とチャネル影響とを検知する。ＰＡ出力レプリカ１２０は、送信されたポーリング信号と出力チャネル１２６プロパティからの影響とを含んでいることがある。
【０１１８】
[00130]ワイヤレス通信デバイス１０２は、９０８において、より高次の周波数におけるＰＡ出力コピー１２２を受信機ＡＤＣ１２９のクロックに与えることによってチャネル影響のための信号レベルを決定する。ＰＡ出力コピー１２２は、可変または乗算されたクロック周波数をＡＤＣ１２９に与え得る。ＡＤＣ１２９クロックは、チャネル帯域幅全体をデジタル化するために、分析されるべきチャネル周波数の倍数において掃引され得る。チャネル帯域幅内の周波数上のチャネル１２６の影響をキャプチャする、対応するデジタルコードが生成され得る。
【０１１９】
[00131]ワイヤレス通信デバイス１０２は、９１０において、信号レベルの変化に基づいて結合物体（たとえば、リモートデバイス１０４）の存在を決定する。結果は、チャネルプロパティに従って周波数帯域にわたって変動することになる。
【０１２０】
[00132]図１０は、ＲＦポーリングモードを実行するための方法１０００のまた別の構成を示す流れ図である。方法１０００はワイヤレス通信デバイス１０２によって実装され得る。ワイヤレス通信デバイス１０２は、リモートデバイス１０４との通信のためのＮＦＣブロック１０６で構成され得る。ＮＦＣブロック１０６は、ＰＡ出力レプリカ１２０と、ＰＡ出力コピー１２２と、信号合成ブロック１１６とを使用して、複数の動作モード１２４を実行し得る。この実装形態では、信号合成ブロック１１６は受信機アナログデジタル変換器（ＡＤＣ）１２９を含み得る。
【０１２１】
[00133]ワイヤレス通信デバイス１０２は、１００２において、ＮＦＣ動作モード１２４がＲＦポーリングモードであると決定する。この動作モード１２４では、ワイヤレス通信デバイス１０２は、外部デバイス（たとえば、リモートデバイス１０４）にポーリングし得る。
【０１２２】
[00134]ワイヤレス通信デバイス１０２は、１００４において、発信ポーリング信号を送信する。ポーリング信号は、外部出力（たとえば、マッチングネットワーク１１２およびアンテナ１１４にＰＡ１１０によって送信される低レベルキャリア周波数掃引、マルチトーンまたは広帯域（たとえば、パルス、ＰＲＢＳなど）信号であり得る。
【０１２３】
[00135]ワイヤレス通信デバイス１０２は、１００６において、ＰＡ出力レプリカを受信機ＡＤＣ１２９の入力に与えることによって発信ポーリング信号とチャネル影響とを検知する。ＰＡ出力レプリカ１２０は、送信されたポーリング信号と出力チャネル１２６プロパティからの影響とを含んでいることがある。
【０１２４】
[00136]ワイヤレス通信デバイス１０２は、１００８において、送信されたポーリング信号における周波数と同じ周波数におけるまたはその近くのＰＡ出力コピーを受信機ＡＤＣ１２９のクロックに与えることによってチャネル影響のための信号レベルを決定する。ＰＡ出力コピー１２２は、可変または乗算されたクロック周波数をＡＤＣ１２９に与え得る。ＡＤＣ１２９クロックは、チャネル帯域幅全体をデジタル化するために、送信されたポーリング信号における周波数と同じ周波数上でまたはその近くで掃引され得る。チャネル帯域幅内の周波数上のチャネル１２６の影響をキャプチャする、対応するデジタルコードが生成され得る。この場合、信号レベルはＤＣに直接ダウンコンバートされ得る。ここでのダウンコンバージョンは、ＡＤＣ１２９クロックと信号とを相関させることによって、ＡＤＣ１２９によって直接行われ得る。
【０１２５】
[00137]ワイヤレス通信デバイス１０２は、１０１０において、得られた直接ダウンコンバートされた信号レベルの変化に基づいて結合物体（たとえば、リモートデバイス１０４）の存在を決定する。結果は、チャネルプロパティに従って周波数帯域にわたって変動することになる。
【０１２６】
[00138]図１１は、トランシーバ１１６０とリモートユニット１１７２とを含むＮＦＣシステム１１００の例示的な概略図を示すブロック図である。ＮＦＣシステム１１００は、ＮＦＣトランシーバ１１６０と、ＮＦＣタグなどのリモートユニット１１７２とを含む。ＮＦＣトランシーバ１１６０は、電圧電源１１６６と、ＮＦＣトランシーバ制御回路１１６８と、送信機回路１１６４とを含み得る。ＮＦＣトランシーバ制御回路１１６８は電圧源１１６６によって電力供給され、１つまたは複数のトランシーバループ１１６２に接続される。
【０１２７】
[00139]トランシーバループ１１６２は、以下で、コイルまたはループアンテナと互換的に使用される。コイルおよびループアンテナは、交流（ＡＣ）１１７０がそれを通して流れることができる導電性材料、たとえば、電磁コイルから製造され得る。トランシーバループ１１６２は、円形、楕円形などであり得るが、他のサイズおよび形状が考えられる。
【０１２８】
[00140]ニアフィールド通信の場合、トランシーバループ１１６２を流れるＡＣ電流１１７０は、様々な周波数（たとえば、約１００ｋＨｚ〜約１１０ＭＨｚ）において、磁気エネルギーまたは磁束１１８０を送信することを生じることがある。ニアフィールドの場合、放出された周波数の波長は、ＮＦＣトランシーバ１１６０上のループ１１６２のサイズよりもはるかに長くなり得る。
【０１２９】
[00141]リモートユニット１１７２は、受信機回路１１７４とリモートユニット制御回路１１７６とを含む。リモートユニット１１７２がＮＦＣトランシーバ１１６０に十分に近い場合、トランシーバ１１６０からの磁束１１８０により、導電性材料の１つまたは複数のリモートユニットループ１１７８上にＡＣ結合され得、リモートユニットループ１１７８は、電磁コイルとリモートユニット制御回路１１７６とを有する電力供給されない（すなわち、バッテリー、または連続電力を印加する他の手段がない）デバイスであり得る。
【０１３０】
[00142]リモートユニット制御回路１１７６中を交流方向に流れる発振ＡＣ電流１１８２は、リモートユニット制御回路１１７６中の整流ダイオードによって整流され得、それにより、リモートユニット制御回路１１７６中のバイパスキャパシタにわたって電圧を蓄積させることができる。バイパスキャパシタが十分な電圧を蓄積した後、リモートユニット制御回路１１７６は電源投入され、動作可能になることができる。ＮＦＣトランシーバ１１６０から結合および変調されたＡＣ信号を受信することによって、リモートユニット１１７２は、ＮＦＣトランシーバ１１６０から情報（たとえば、コマンド）を受信および検出することができる。
【０１３１】
[00143]動作可能になると、リモートユニット制御回路１１７６はまた、リモートユニットループ１１７８によって経験されたインピーダンスを変更することによって、ＮＦＣトランシーバ１１６０に信号を返送し得る。これは、たとえば、スイッチを用いてリモートユニットループ１１７８を短絡するかまたは開くことによって達成され得る。リモートユニット１１７２がＮＦＣトランシーバ１１６０に十分に近い場合、リモートユニット１１７２中のリモートユニットループ１１７８によって生成された、変調された電磁界は、ＮＦＣトランシーバ１１６０のループ１１６２上に結合され得る。ＮＦＣトランシーバ１１６０に返送される信号は、遅く、データの１００ビット程度であり、リモートユニット１１７２がアタッチされたデバイスの通し番号またはモデル番号、クレジットカード番号、個人識別情報、セキュリティコードおよびパスワードなどの情報をトランシーバ１１６０に与えることができる。
【０１３２】
[00144]図１２は、ワイヤレス通信デバイス１２０２内に含まれ得るいくつかの構成要素を示す。ワイヤレス通信デバイス１２０２は、ワイヤレスデバイス、アクセス端末、移動局、ユーザ機器（ＵＥ）、ラップトップコンピュータ、デスクトップコンピュータなどであり得る。たとえば、図１２のワイヤレス通信デバイス１２０２は、図１のワイヤレス通信デバイス１０２に従って実装され得る。
【０１３３】
[00145]ワイヤレス通信デバイス１２０２はプロセッサ１２０３を含む。プロセッサ１２０３は、汎用シングルまたはマルチチップマイクロプロセッサ（たとえば、高度ＲＩＳＣ（縮小命令セットコンピュータ）マシン（ＡＲＭ））、専用マイクロプロセッサ（たとえば、デジタル信号プロセッサ（ＤＳＰ））、マイクロコントローラ、プログラマブルゲートアレイなどであり得る。プロセッサ１２０３は中央処理ユニット（ＣＰＵ）と呼ばれることがある。図１２のワイヤレス通信デバイス１２０２には単一のプロセッサ１２０３のみが示されているが、代替構成では、プロセッサの組合せ（たとえば、ＡＲＭとＤＳＰ）が使用され得る。
【０１３４】
[00146]ワイヤレス通信デバイス１２０２はまた、プロセッサ１２０３と電子通信しているメモリ１２０５を含む（すなわち、プロセッサは、メモリから情報を読み取り、および／またはメモリに情報を書き込むことができる）。メモリ１２０５は、電子情報を記憶することが可能な任意の電子的構成要素であり得る。メモリ１２０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭ（登録商標）メモリ、レジスタなど、およびそれらの組合せとして構成され得る。
【０１３５】
[00147]データ１２０７ａおよび命令１２０９ａがメモリ１２０５に記憶され得る。命令１２０９ａは、１つまたは複数のプログラム、ルーチン、サブルーチン、関数、プロシージャ、コードなどを含み得る。命令１２０９ａは、単一のコンピュータ可読ステートメントまたは多くのコンピュータ可読ステートメントを含み得る。命令１２０９ａは、本明細書で開示される方法を実装するためにプロセッサ１２０３によって実行可能であり得る。命令１２０９ａを実行することは、メモリ１２０５に記憶されたデータ１２０７ａの使用を伴い得る。プロセッサ１２０３が命令１２０９を実行すると、命令１２０９ｂの様々な部分がプロセッサ１２０３上にロードされ得、様々ないくつかのデータ１２０７ｂがプロセッサ１２０３上にロードされ得る。
【０１３６】
[00148]ワイヤレス通信デバイス１２０２はまた、アンテナ１２１７を介したワイヤレス通信デバイス１２０２との間での信号の送信および受信を可能にするために、送信機１２１１と受信機１２１３とを含み得る。送信機１２１１および受信機１２１３は、トランシーバ１２１５と総称されることがある。ワイヤレス通信デバイス１２０２はまた、複数の送信機、複数のアンテナ、複数の受信機および／または複数のトランシーバを含み得る（図示せず）。
【０１３７】
[00149]ワイヤレス通信デバイス１２０２はデジタル信号プロセッサ（ＤＳＰ）１２２１を含み得る。ワイヤレス通信デバイス１２０２はまた、通信インターフェース１２２３を含み得る。通信インターフェース１２２３は、ユーザがワイヤレス通信デバイス１２０２と対話することを可能にし得る。
【０１３８】
[00150]ワイヤレス通信デバイス１２０２の様々な構成要素は、電力バス、制御信号バス、ステータス信号バス、データバスなどを含み得る、１つまたは複数のバスによって互いに結合され得る。明快のために、図１２では様々なバスはバスシステム１２１９として示されている。
【０１３９】
[00151]上記の説明では、様々な用語とともに参照番号が時々使用された。用語が参照番号とともに使用されている場合、これは、図のうちの１つまたは複数に示された特定の要素を指すものとされ得る。用語が参照番号なしに使用されている場合、これは、概して特定の図に限定されない用語を指すものとされ得る。
【０１４０】
[00152]「決定すること」という用語は多種多様なアクションを包含し、したがって、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含むことができる。また、「決定すること」は、受信すること（たとえば、情報を受信すること）、アクセスすること（たとえば、メモリ中のデータにアクセスすること）などを含むことができる。また、「決定すること」は、解決すること、選択すること、選定すること、確立することなどを含むことができる。
【０１４１】
[00153]「に基づいて（based on）」という句は、別段に明記されていない限り、「のみに基づいて」を意味しない。言い換えれば、「に基づいて」という句は、「のみに基づいて」と「に少なくとも基づいて」の両方のことを述べている。
【０１４２】
[00154]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、デジタル信号プロセッサ（ＤＳＰ）とマイクロプロセッサとの組合せ、複数のマイクロプロセッサ、デジタル信号プロセッサ（ＤＳＰ）コアと連携する１つまたは複数のマイクロプロセッサ、あるいは他のそのような構成を指すことがある。
【０１４３】
[00155]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／またはメモリに情報を書き込むことができる場合、メモリはプロセッサと電子通信していると言われる。プロセッサに一体化されたメモリは、プロセッサと電子通信している。
【０１４４】
[00156]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１４５】
[00157]本明細書で説明された機能は、ハードウェアによって実行されるソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または算出され得るコードまたは命令（たとえば、「プログラム」）と組み合わせたコンピューティングデバイスまたはプロセッサを指す。本明細書で使用される「コード」という用語は、コンピューティングデバイスまたはプロセッサによって実行可能であるソフトウェア、命令、コードまたはデータを指すことがある。
【０１４６】
[00158]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１４７】
[00159]本明細書で開示された方法は、説明された方法を達成するための１つまたは複数のステップまたはアクションを備える。方法のステップおよび／またはアクションは、特許請求の範囲から逸脱することなく、互いに交換され得る。言い換えれば、説明された方法の適切な動作のためにステップまたはアクションの特定の順序が必要とされない限り、特定のステップおよび／またはアクションの順序および／または使用は、特許請求の範囲を逸脱することなく修正され得る。
【０１４８】
[00160]さらに、図２および図５〜図１０によって示されたものなど、本明細書で説明された方法および技法を実行するためのモジュールおよび／または他の適切な手段は、デバイスによってダウンロードおよび／または他の方法で取得され得ることを諒解されたい。たとえば、デバイスは、本明細書で説明された方法を実行するための手段の転送を可能にするために、サーバに結合され得る。代替的に、本明細書で説明された様々な方法は、デバイスが、記憶手段をそのデバイスに結合するかまたは与えると様々な方法を取得し得るように、記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）によって与えられ得る。その上、本明細書で説明された方法および技法をデバイスに与えるための任意の他の好適な技法が利用され得る。
【０１４９】
[00161]特許請求の範囲は、上記で示された厳密な構成および構成要素に限定されないことを理解されたい。特許請求の範囲から逸脱することなく、本明細書で説明されたシステム、方法、および装置の構成、動作および詳細において、様々な修正、変更および変形が行われ得る。
【図１】
2018532328.tif 000003
【図２】
2018532328.tif 000004
【図３】
2018532328.tif 000005
【図４】
2018532328.tif 000006
【図５】
2018532328.tif 000007
【図６】
2018532328.tif 000008
【図７】
2018532328.tif 000009
【図８】
2018532328.tif 000010
【図９】
2018532328.tif 000011
【図１０】
2018532328.tif 000012
【図１１】
2018532328.tif 000013
【図１２】
2018532328.tif 000014
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
誘導結合通信のための方法であって、
誘導結合通信のための第１の動作モードを決定することと、ここにおいて、前記第１の動作モードは、無線周波数（ＲＦ）ポーリングモードを備える、
受信機の信号合成ブロックにおいて送信電力増幅器（ＰＡ）出力レプリカとＰＡ出力コピーとを合成することによって前記第１の動作モードを実行することと、ここにおいて、前記ＰＡ出力レプリカがチャネルプロパティの影響を反映し、ここにおいて、前記ＰＡ出力コピーが前記チャネルプロパティによって影響を受けない、
誘導結合通信のための第２の動作モードを決定することと、
前記受信機の信号合成ブロックにおいて前記送信ＰＡ出力レプリカとＰＡ出力コピーとを合成することによって前記第２の動作モードを実行することと
を備える、方法。
【請求項２】
前記チャネルプロパティが、アンテナ、マッチングネットワーク、リモートデバイスへの結合、または負荷変調のうちの少なくとも１つに関する負荷状態を備える、請求項１に記載の方法。
【請求項３】
前記信号合成ブロックが、前記ＰＡ出力レプリカと前記ＰＡ出力コピーとの時間領域加算を実行し、ここにおいて、前記ＰＡ出力コピーが前記ＰＡ出力レプリカから減算される、請求項１に記載の方法。
【請求項４】
前記信号合成ブロックが周波数変換を実行する、請求項１に記載の方法。
【請求項５】
前記ＰＡ出力レプリカと前記ＰＡ出力コピーとの位相、周波数および振幅整合が、互いに対して、および着信受信信号に対して可変である、請求項１に記載の方法。
【請求項６】
前記ＰＡ出力レプリカと前記ＰＡ出力コピーとの多相、マルチトーンおよび振幅可変態様が、ニアフィールド通信（ＮＦＣ）ブロックのアナログ部分、デジタル部分、またはアナログ部分とデジタル部分の両方の組合せにおいて実装される、請求項５に記載の方法。
【請求項７】
前記動作モードが、ターゲット負荷変調を用いたリーダーモードであり、ここにおいて、前記動作モードを実行することが、
発信キャリアを送信することと、
前記ＰＡ出力レプリカを前記信号合成ブロックに与えることによって前記発信キャリアの着信負荷変調を検知することと、
着信負荷変調信号およびキャリア残差を分離するために、前記ＰＡ出力コピーを用いて前記信号合成ブロックにおいて前記発信キャリアを取り去ることと
を備える、請求項１に記載の方法。
【請求項８】
前記動作モードがターゲットモードであり、ここにおいて、前記動作モードを実行することが、
マッチングネットワークおよびアンテナにおける被制御出力インピーダンス接続を維持するために低レベル発信キャリアを送信することと、
前記ＰＡ出力レプリカを前記信号合成ブロックに与えることによって着信キャリアの着信変調を検知することと、
着信変調信号を分離するために、重み付けされた出力レベルをもつ前記ＰＡ出力コピーを用いて前記信号合成ブロックにおいて前記発信キャリアと着信キャリアとを取り去ることと
を備える、請求項１に記載の方法。
【請求項９】
前記信号合成ブロックにおいて前記ＰＡ出力レプリカと前記ＰＡ出力コピーとを加算することによって生成された加算誤差に基づいて、着信キャリア上で位相ロックを実行することをさらに備える、請求項１に記載の方法。
【請求項１０】
前記動作モードが、能動負荷変調（ＡＬＭ）を用いたターゲットモードであり、ここにおいて、前記動作モードを実行することが、
発信ＡＬＭサブキャリアを送信することと、
前記ＰＡ出力レプリカを前記信号合成ブロックに与えることによって前記発信ＡＬＭサブキャリアと着信キャリアの着信変調とを検知することと、
前記着信キャリア上の着信変調信号を分離するために、前記ＰＡ出力コピーを用いて前記信号合成ブロックにおいて前記発信ＡＬＭサブキャリアと前記着信キャリアとを取り去ることと
を備える、請求項１に記載の方法。
【請求項１１】
前記動作モードが無線周波数（ＲＦ）ポーリングモードであり、ここにおいて、前記動作モードを実行することが、
発信ポーリング信号を送信することと、
前記ＰＡ出力レプリカを前記信号合成ブロックに与えることによって前記発信ポーリング信号とチャネル影響とを検知することと、
前記信号合成ブロックにおいて前記ＰＡ出力レプリカから前記ＰＡ出力コピーを減算することによって前記チャネル影響のための信号レベルを決定することと、
前記信号レベルの変化に基づいて結合物体の存在を決定することと
を備える、請求項１に記載の方法。
【請求項１２】
前記動作モードがＲＦポーリングモードであり、前記信号合成ブロックが受信機アナログデジタル変換器（ＡＤＣ）を備え、ここにおいて、前記動作モードを実行することが、
発信ポーリング信号を送信することと、
前記ＰＡ出力レプリカを前記受信機ＡＤＣの入力に与えることによって前記発信ポーリング信号とチャネル影響とを検知することと、
より高次の周波数における前記ＰＡ出力コピーを前記受信機ＡＤＣのクロックに与えることによって前記チャネル影響のための信号レベルを決定することと、
前記信号レベルの変化に基づいて結合物体の存在を決定することと
を備える、請求項１に記載の方法。
【請求項１３】
前記動作モードがＲＦポーリングモードであり、前記信号合成ブロックが受信機アナログデジタル変換器（ＡＤＣ）を備え、ここにおいて、前記動作モードを実行することが、
発信ポーリング信号を送信することと、
前記ＰＡ出力レプリカを前記受信機ＡＤＣの入力に与えることによって前記発信ポーリング信号とチャネル影響とを検知することと、
前記送信されたポーリング信号の周波数におけるまたはその近くの前記ＰＡ出力コピーを前記受信機ＡＤＣのクロックに与えることによって前記チャネル影響のための信号レベルを決定することと、
得られた直接ダウンコンバートされた信号レベルの変化に基づいて結合物体の存在を決定することと
を備える、請求項１に記載の方法。
【請求項１４】
前記第１の動作モードは、第１のニアフィールド通信（ＮＦＣ）動作モードを備え、前記第２の動作モードは、前記１のＮＦＣ動作モードとは異なる第２のＮＦＣ動作モードを備える、請求項１に記載の方法。
【請求項１５】
前記第１の動作モードおよび前記第２の動作モードは、前記ＰＡ出力レプリカ、前記ＰＡ出力コピー、および前記信号合成ブロックを使用して実行される、請求項１に記載の方法。
【請求項１６】
前記第２の動作モードは、リーダーモード、またはターゲットモードを備える、請求項１に記載の方法。
【請求項１７】
誘導結合通信のためのワイヤレス通信デバイスであって、
プロセッサと、
前記プロセッサと通信しているメモリと、
前記メモリに記憶された命令と
を備え、前記命令は、
誘導結合通信のための第１の動作モードを決定することと、ここにおいて、前記第１の動作モードは、無線周波数（ＲＦ）ポーリングモードを備える、
受信機の信号合成ブロックにおいて送信電力増幅器（ＰＡ）出力レプリカとＰＡ出力コピーとを合成することによって前記第１の動作モードを実行することと、ここにおいて、前記ＰＡ出力レプリカがチャネルプロパティの影響を反映し、ここにおいて、前記ＰＡ出力コピーが前記チャネルプロパティによって影響を受けない、
誘導結合通信のための第２の動作モードを決定することと、
前記受信機の信号合成ブロックにおいて前記送信ＰＡ出力レプリカとＰＡ出力コピーとを合成することによって前記第２の動作モードを実行することと
を行うために前記プロセッサによって実行可能である、ワイヤレス通信デバイス。
【請求項１８】
前記動作モードが、ターゲット負荷変調を用いたリーダーモードであり、ここにおいて、前記動作モードを実行するために実行可能な前記命令が、
発信キャリアを送信することと、
前記ＰＡ出力レプリカを前記信号合成ブロックに与えることによって前記発信キャリアの着信負荷変調を検知することと、
着信負荷変調信号およびキャリア残差を分離するために、前記ＰＡ出力コピーを用いて前記信号合成ブロックにおいて前記発信キャリアを取り去ることと
を行うために実行可能な命令を備える、請求項１７に記載のワイヤレス通信デバイス。
【請求項１９】
前記動作モードがターゲットモードであり、ここにおいて、前記動作モードを実行するために実行可能な前記命令が、
マッチングネットワークおよびアンテナにおける被制御出力インピーダンス接続を維持するために低レベル発信キャリアを送信することと、
前記ＰＡ出力レプリカを前記信号合成ブロックに与えることによって着信キャリアの着信変調を検知することと、
着信変調信号を分離するために、重み付けされた出力レベルをもつ前記ＰＡ出力コピーを用いて前記信号合成ブロックにおいて前記発信キャリアと着信キャリアとを取り去ることと
を行うために実行可能な命令を備える、請求項１７に記載のワイヤレス通信デバイス。
【請求項２０】
前記動作モードが、能動負荷変調（ＡＬＭ）を用いたターゲットモードであり、ここにおいて、前記動作モードを実行するために実行可能な前記命令が、
発信ＡＬＭサブキャリアを送信することと、
前記ＰＡ出力レプリカを前記信号合成ブロックに与えることによって前記発信ＡＬＭサブキャリアと着信キャリアの着信変調とを検知することと、
前記着信キャリア上の着信変調信号を分離するために、前記ＰＡ出力コピーを用いて前記信号合成ブロックにおいて前記発信ＡＬＭサブキャリアと前記着信キャリアとを取り去ることと
を行うために実行可能な命令を備える、請求項１７に記載のワイヤレス通信デバイス。
【請求項２１】
前記動作モードがＲＦポーリングモードであり、ここにおいて、前記動作モードを実行するために実行可能な前記命令が、
発信ポーリング信号を送信することと、
前記ＰＡ出力レプリカを前記信号合成ブロックに与えることによって前記発信ポーリング信号とチャネル影響とを検知することと、
前記信号合成ブロックにおいて前記ＰＡ出力レプリカから前記ＰＡ出力コピーを減算することによって前記チャネル影響のための信号レベルを決定することと、
前記信号レベルの変化に基づいて結合物体の存在を決定することと
を行うために実行可能な命令を備える、請求項１７に記載のワイヤレス通信デバイス。
【請求項２２】
前記動作モードがＲＦポーリングモードであり、前記信号合成ブロックが受信機アナログデジタル変換器（ＡＤＣ）を備え、ここにおいて、前記動作モードを実行するために実行可能な前記命令が、
発信ポーリング信号を送信することと、
前記ＰＡ出力レプリカを前記受信機ＡＤＣの入力に与えることによって前記発信ポーリング信号とチャネル影響とを検知することと、
より高次の周波数における前記ＰＡ出力コピーを前記受信機ＡＤＣのクロックに与えることによって前記チャネル影響のための信号レベルを決定することと、
前記信号レベルの変化に基づいて結合物体の存在を決定することと
を行うために実行可能な命令を備える、請求項１７に記載のワイヤレス通信デバイス。
【請求項２３】
前記動作モードがＲＦポーリングモードであり、前記信号合成ブロックが受信機アナログデジタル変換器（ＡＤＣ）を備え、ここにおいて、前記動作モードを実行するために実行可能な前記命令が、
発信ポーリング信号を送信することと、
前記ＰＡ出力レプリカを前記受信機ＡＤＣの入力に与えることによって前記発信ポーリング信号とチャネル影響とを検知することと、
前記送信されたポーリング信号の周波数におけるまたはその近くの前記ＰＡ出力コピーを前記受信機ＡＤＣのクロックに与えることによって前記チャネル影響のための信号レベルを決定することと、
得られた直接ダウンコンバートされた信号レベルの変化に基づいて結合物体の存在を決定することと
を行うために実行可能な命令を備える、請求項１７に記載のワイヤレス通信デバイス。
【請求項２４】
誘導結合通信のための装置であって、
誘導結合通信のための第１の動作モードを決定するための手段と、ここにおいて、前記第１の動作モードは、無線周波数（ＲＦ）ポーリングモードを備える、
受信機の信号合成ブロックにおいて送信電力増幅器（ＰＡ）出力レプリカとＰＡ出力コピーとを合成することによって前記第１の動作モードを実行するための手段と、ここにおいて、前記ＰＡ出力レプリカがチャネルプロパティの影響を反映し、ここにおいて、前記ＰＡ出力コピーが前記チャネルプロパティによって影響を受けない、
誘導結合通信のための第２の動作モードを決定するための手段と、
前記受信機の信号合成ブロックにおいて前記送信ＰＡ出力レプリカとＰＡ出力コピーとを合成することによって前記第２の動作モードを実行するための手段と
を備える、装置。
【請求項２５】
前記動作モードが、ターゲット負荷変調を用いたリーダーモードであり、ここにおいて、前記動作モードを実行するための前記手段が、
発信キャリアを送信するための手段と、
前記ＰＡ出力レプリカを前記信号合成ブロックに与えることによって前記発信キャリアの着信負荷変調を検知するための手段と、
着信負荷変調信号およびキャリア残差を分離するために、前記ＰＡ出力コピーを用いて前記信号合成ブロックにおいて前記発信キャリアを取り去るための手段と
を備える、請求項２４に記載の装置。
【請求項２６】
前記動作モードがターゲットモードであり、ここにおいて、前記動作モードを実行するための前記手段が、
マッチングネットワークおよびアンテナにおける被制御出力インピーダンス接続を維持するために低レベル発信キャリアを送信するための手段と、
前記ＰＡ出力レプリカを前記信号合成ブロックに与えることによって着信キャリアの着信変調を検知するための手段と、
着信変調信号を分離するために、重み付けされた出力レベルをもつ前記ＰＡ出力コピーを用いて前記信号合成ブロックにおいて前記発信キャリアと着信キャリアとを取り去るための手段と
を備える、請求項２４に記載の装置。
【請求項２７】
前記動作モードが、能動負荷変調（ＡＬＭ）を用いたターゲットモードであり、ここにおいて、前記動作モードを実行するための前記手段が、
発信ＡＬＭサブキャリアを送信するための手段と、
前記ＰＡ出力レプリカを前記信号合成ブロックに与えることによって前記発信ＡＬＭサブキャリアと着信キャリアの着信変調とを検知するための手段と、
前記着信キャリア上の着信変調信号を分離するために、前記ＰＡ出力コピーを用いて前記信号合成ブロックにおいて前記発信ＡＬＭサブキャリアと前記着信キャリアとを取り去るための手段と
を備える、請求項２４に記載の装置。
【請求項２８】
前記動作モードがＲＦポーリングモードであり、ここにおいて、前記動作モードを実行するための前記手段が、
発信ポーリング信号を送信するための手段と、
前記ＰＡ出力レプリカを前記信号合成ブロックに与えることによって前記発信ポーリング信号とチャネル影響とを検知するための手段と、
前記信号合成ブロックにおいて前記ＰＡ出力レプリカから前記ＰＡ出力コピーを減算することによって前記チャネル影響のための信号レベルを決定するための手段と、
前記信号レベルの変化に基づいて結合物体の存在を決定するための手段と
を備える、請求項２４に記載の装置。
【請求項２９】
誘導結合通信のためのコンピュータプログラム製品であって、前記コンピュータプログラム製品が、命令をその上に有する非一時的コンピュータ可読媒体を備え、前記命令が、
ワイヤレス通信デバイスに、誘導結合通信のための第１の動作モードを決定させるためのコードと、ここにおいて、前記第１の動作モードは、無線周波数（ＲＦ）ポーリングモードを備える、
前記ワイヤレス通信デバイスに、受信機の信号合成ブロックにおいて送信電力増幅器（ＰＡ）出力レプリカとＰＡ出力コピーとを合成することによって前記第１の動作モードを実行させるためのコードと、ここにおいて、前記ＰＡ出力レプリカがチャネルプロパティの影響を反映し、ここにおいて、前記ＰＡ出力コピーが前記チャネルプロパティによって影響を受けない、
前記ワイヤレス通信デバイスに、誘導結合通信のための第２の動作モードを決定させるためのコードと、
前記ワイヤレス通信デバイスに、前記受信機の信号合成ブロックにおいて前記送信ＰＡ出力レプリカとＰＡ出力コピーとを合成することによって前記第２の動作モードを実行させるためのコードと
を備える、コンピュータプログラム製品。
【請求項３０】
前記動作モードが、ターゲット負荷変調を用いたリーダーモードであり、ここにおいて、前記ワイヤレス通信デバイスに前記動作モードを実行させるための前記コードが、
前記ワイヤレス通信デバイスに、発信キャリアを送信させるためのコードと、
前記ワイヤレス通信デバイスに、前記ＰＡ出力レプリカを前記信号合成ブロックに与えることによって前記発信キャリアの着信負荷変調を検知させるためのコードと、
前記ワイヤレス通信デバイスに、着信負荷変調信号およびキャリア残差を分離するために、前記ＰＡ出力コピーを用いて前記信号合成ブロックにおいて前記発信キャリアを取り去らせるためのコードと
を備える、請求項２９に記載のコンピュータプログラム製品。
【請求項３１】
前記動作モードがターゲットモードであり、ここにおいて、前記ワイヤレス通信デバイスに前記動作モードを実行させるための前記コードが、
前記ワイヤレス通信デバイスに、マッチングネットワークおよびアンテナにおける被制御出力インピーダンス接続を維持するために低レベル発信キャリアを送信させるためのコードと、
前記ワイヤレス通信デバイスに、前記ＰＡ出力レプリカを前記信号合成ブロックに与えることによって着信キャリアの着信変調を検知させるためのコードと、
前記ワイヤレス通信デバイスに、着信変調信号を分離するために、重み付けされた出力レベルをもつ前記ＰＡ出力コピーを用いて前記信号合成ブロックにおいて前記発信キャリアと着信キャリアとを取り去らせるためのコードと
を備える、請求項２９に記載のコンピュータプログラム製品。
【請求項３２】
前記動作モードが、能動負荷変調（ＡＬＭ）を用いたターゲットモードであり、ここにおいて、前記ワイヤレス通信デバイスに前記動作モードを実行させるための前記コードが、
前記ワイヤレス通信デバイスに、発信ＡＬＭサブキャリアを送信させるためのコードと、
前記ワイヤレス通信デバイスに、前記ＰＡ出力レプリカを前記信号合成ブロックに与えることによって前記発信ＡＬＭサブキャリアと着信キャリアの着信変調とを検知させるためのコードと、
前記ワイヤレス通信デバイスに、前記着信キャリア上の着信変調信号を分離するために、前記ＰＡ出力コピーを用いて前記信号合成ブロックにおいて前記発信ＡＬＭサブキャリアと前記着信キャリアとを取り去らせるためのコードと
を備える、請求項２９に記載のコンピュータプログラム製品。
【請求項３３】
前記動作モードがＲＦポーリングモードであり、ここにおいて、前記ワイヤレス通信デバイスに前記動作モードを実行させるための前記コードが、
前記ワイヤレス通信デバイスに、発信ポーリング信号を送信させるためのコードと、
前記ワイヤレス通信デバイスに、前記ＰＡ出力レプリカを前記信号合成ブロックに与えることによって前記発信ポーリング信号とチャネル影響とを検知させるためのコードと、
前記ワイヤレス通信デバイスに、前記信号合成ブロックにおいて前記ＰＡ出力レプリカから前記ＰＡ出力コピーを減算することによって前記チャネル影響のための信号レベルを決定させるためのコードと、
前記ワイヤレス通信デバイスに、前記信号レベルの変化に基づいて結合物体の存在を決定させるためのコードと
を備える、請求項２９に記載のコンピュータプログラム製品。
【手続補正２】
【補正対象書類名】明細書
【補正対象項目名】０１４９
【補正方法】変更
【補正の内容】
【０１４９】
[00161]特許請求の範囲は、上記で示された厳密な構成および構成要素に限定されないことを理解されたい。特許請求の範囲から逸脱することなく、本明細書で説明されたシステム、方法、および装置の構成、動作および詳細において、様々な修正、変更および変形が行われ得る。
以下に本願の出願当初の特許請求の範囲に記載された発明を付記する。
［Ｃ１］
誘導結合通信のための方法であって、
誘導結合通信のための動作モードを決定することと、
受信機の信号合成ブロックにおいて送信電力増幅器（ＰＡ）出力レプリカとＰＡ出力コピーとを合成することによって前記動作モードを実行することと、ここにおいて、前記ＰＡ出力レプリカがチャネルプロパティの影響を反映し、ここにおいて、前記ＰＡ出力コピーが前記チャネルプロパティによって影響を受けない、
を備える、方法。
［Ｃ２］
前記チャネルプロパティが、アンテナ、マッチングネットワーク、リモートデバイスへの結合、または負荷変調のうちの少なくとも１つに関する負荷状態を備える、Ｃ１に記載の方法。
［Ｃ３］
前記信号合成ブロックが、前記ＰＡ出力レプリカと前記ＰＡ出力コピーとの時間領域加算を実行し、ここにおいて、前記ＰＡ出力コピーが前記ＰＡ出力レプリカから減算される、Ｃ１に記載の方法。
［Ｃ４］
前記信号合成ブロックが周波数変換を実行する、Ｃ１に記載の方法。
［Ｃ５］
前記ＰＡ出力レプリカと前記ＰＡ出力コピーとの位相、周波数および振幅整合が、互いに対して、および着信受信信号に対して可変である、Ｃ１に記載の方法。
［Ｃ６］
前記ＰＡ出力レプリカと前記ＰＡ出力コピーとの多相、マルチトーンおよび振幅可変態様が、ニアフィールド通信（ＮＦＣ）ブロックのアナログ部分、デジタル部分、またはアナログ部分とデジタル部分の両方の組合せにおいて実装される、Ｃ５に記載の方法。
［Ｃ７］
前記動作モードが、ターゲット負荷変調を用いたリーダーモードであり、ここにおいて、前記動作モードを実行することが、
発信キャリアを送信することと、
前記ＰＡ出力レプリカを前記信号合成ブロックに与えることによって前記発信キャリアの着信負荷変調を検知することと、
着信負荷変調信号およびキャリア残差を分離するために、前記ＰＡ出力コピーを用いて前記信号合成ブロックにおいて前記発信キャリアを取り去ることと
を備える、Ｃ１に記載の方法。
［Ｃ８］
前記動作モードがターゲットモードであり、ここにおいて、前記動作モードを実行することが、
マッチングネットワークおよびアンテナにおける被制御出力インピーダンス接続を維持するために低レベル発信キャリアを送信することと、
前記ＰＡ出力レプリカを前記信号合成ブロックに与えることによって着信キャリアの着信変調を検知することと、
着信変調信号を分離するために、重み付けされた出力レベルをもつ前記ＰＡ出力コピーを用いて前記信号合成ブロックにおいて前記発信キャリアと着信キャリアとを取り去ることと
を備える、Ｃ１に記載の方法。
［Ｃ９］
前記信号合成ブロックにおいて前記ＰＡ出力レプリカと前記ＰＡ出力コピーとを加算することによって生成された加算誤差に基づいて、着信キャリア上で位相ロックを実行することをさらに備える、Ｃ１に記載の方法。
［Ｃ１０］
前記動作モードが、能動負荷変調（ＡＬＭ）を用いたターゲットモードであり、ここにおいて、前記動作モードを実行することが、
発信ＡＬＭサブキャリアを送信することと、
前記ＰＡ出力レプリカを前記信号合成ブロックに与えることによって前記発信ＡＬＭサブキャリアと着信キャリアの着信変調とを検知することと、
前記着信キャリア上の着信変調信号を分離するために、前記ＰＡ出力コピーを用いて前記信号合成ブロックにおいて前記発信ＡＬＭサブキャリアと前記着信キャリアとを取り去ることと
を備える、Ｃ１に記載の方法。
［Ｃ１１］
前記動作モードが無線周波数（ＲＦ）ポーリングモードであり、ここにおいて、前記動作モードを実行することが、
発信ポーリング信号を送信することと、
前記ＰＡ出力レプリカを前記信号合成ブロックに与えることによって前記発信ポーリング信号とチャネル影響とを検知することと、
前記信号合成ブロックにおいて前記ＰＡ出力レプリカから前記ＰＡ出力コピーを減算することによって前記チャネル影響のための信号レベルを決定することと、
前記信号レベルの変化に基づいて結合物体の存在を決定することと
を備える、Ｃ１に記載の方法。
［Ｃ１２］
前記動作モードがＲＦポーリングモードであり、前記信号合成ブロックが受信機アナログデジタル変換器（ＡＤＣ）を備え、ここにおいて、前記動作モードを実行することが、
発信ポーリング信号を送信することと、
前記ＰＡ出力レプリカを前記受信機ＡＤＣの入力に与えることによって前記発信ポーリング信号とチャネル影響とを検知することと、
より高次の周波数における前記ＰＡ出力コピーを前記受信機ＡＤＣのクロックに与えることによって前記チャネル影響のための信号レベルを決定することと、
前記信号レベルの変化に基づいて結合物体の存在を決定することと
を備える、Ｃ１に記載の方法。
［Ｃ１３］
前記動作モードがＲＦポーリングモードであり、前記信号合成ブロックが受信機アナログデジタル変換器（ＡＤＣ）を備え、ここにおいて、前記動作モードを実行することが、
発信ポーリング信号を送信することと、
前記ＰＡ出力レプリカを前記受信機ＡＤＣの入力に与えることによって前記発信ポーリング信号とチャネル影響とを検知することと、
前記送信されたポーリング信号の周波数におけるまたはその近くの前記ＰＡ出力コピーを前記受信機ＡＤＣのクロックに与えることによって前記チャネル影響のための信号レベルを決定することと、
得られた直接ダウンコンバートされた信号レベルの変化に基づいて結合物体の存在を決定することと
を備える、Ｃ１に記載の方法。
［Ｃ１４］
誘導結合通信のためのワイヤレス通信デバイスであって、
プロセッサと、
前記プロセッサと通信しているメモリと、
前記メモリに記憶された命令と
を備え、前記命令は、
誘導結合通信のための動作モードを決定することと、
受信機の信号合成ブロックにおいて送信電力増幅器（ＰＡ）出力レプリカとＰＡ出力コピーとを合成することによって前記動作モードを実行することと、ここにおいて、前記ＰＡ出力レプリカがチャネルプロパティの影響を反映し、ここにおいて、前記ＰＡ出力コピーが前記チャネルプロパティによって影響を受けない、
を行うために前記プロセッサによって実行可能である、ワイヤレス通信デバイス。
［Ｃ１５］
前記動作モードが、ターゲット負荷変調を用いたリーダーモードであり、ここにおいて、前記動作モードを実行するために実行可能な前記命令が、
発信キャリアを送信することと、
前記ＰＡ出力レプリカを前記信号合成ブロックに与えることによって前記発信キャリアの着信負荷変調を検知することと、
着信負荷変調信号およびキャリア残差を分離するために、前記ＰＡ出力コピーを用いて前記信号合成ブロックにおいて前記発信キャリアを取り去ることと
を行うために実行可能な命令を備える、Ｃ１４に記載のワイヤレス通信デバイス。
［Ｃ１６］
前記動作モードがターゲットモードであり、ここにおいて、前記動作モードを実行するために実行可能な前記命令が、
マッチングネットワークおよびアンテナにおける被制御出力インピーダンス接続を維持するために低レベル発信キャリアを送信することと、
前記ＰＡ出力レプリカを前記信号合成ブロックに与えることによって着信キャリアの着信変調を検知することと、
着信変調信号を分離するために、重み付けされた出力レベルをもつ前記ＰＡ出力コピーを用いて前記信号合成ブロックにおいて前記発信キャリアと着信キャリアとを取り去ることと
を行うために実行可能な命令を備える、Ｃ１４に記載のワイヤレス通信デバイス。
［Ｃ１７］
前記動作モードが、能動負荷変調（ＡＬＭ）を用いたターゲットモードであり、ここにおいて、前記動作モードを実行するために実行可能な前記命令が、
発信ＡＬＭサブキャリアを送信することと、
前記ＰＡ出力レプリカを前記信号合成ブロックに与えることによって前記発信ＡＬＭサブキャリアと着信キャリアの着信変調とを検知することと、
前記着信キャリア上の着信変調信号を分離するために、前記ＰＡ出力コピーを用いて前記信号合成ブロックにおいて前記発信ＡＬＭサブキャリアと前記着信キャリアとを取り去ることと
を行うために実行可能な命令を備える、Ｃ１４に記載のワイヤレス通信デバイス。
［Ｃ１８］
前記動作モードがＲＦポーリングモードであり、ここにおいて、前記動作モードを実行するために実行可能な前記命令が、
発信ポーリング信号を送信することと、
前記ＰＡ出力レプリカを前記信号合成ブロックに与えることによって前記発信ポーリング信号とチャネル影響とを検知することと、
前記信号合成ブロックにおいて前記ＰＡ出力レプリカから前記ＰＡ出力コピーを減算することによって前記チャネル影響のための信号レベルを決定することと、
前記信号レベルの変化に基づいて結合物体の存在を決定することと
を行うために実行可能な命令を備える、Ｃ１４に記載のワイヤレス通信デバイス。
［Ｃ１９］
前記動作モードがＲＦポーリングモードであり、前記信号合成ブロックが受信機アナログデジタル変換器（ＡＤＣ）を備え、ここにおいて、前記動作モードを実行するために実行可能な前記命令が、
発信ポーリング信号を送信することと、
前記ＰＡ出力レプリカを前記受信機ＡＤＣの入力に与えることによって前記発信ポーリング信号とチャネル影響とを検知することと、
より高次の周波数における前記ＰＡ出力コピーを前記受信機ＡＤＣのクロックに与えることによって前記チャネル影響のための信号レベルを決定することと、
前記信号レベルの変化に基づいて結合物体の存在を決定することと
を行うために実行可能な命令を備える、Ｃ１４に記載のワイヤレス通信デバイス。
［Ｃ２０］
前記動作モードがＲＦポーリングモードであり、前記信号合成ブロックが受信機アナログデジタル変換器（ＡＤＣ）を備え、ここにおいて、前記動作モードを実行するために実行可能な前記命令が、
発信ポーリング信号を送信することと、
前記ＰＡ出力レプリカを前記受信機ＡＤＣの入力に与えることによって前記発信ポーリング信号とチャネル影響とを検知することと、
前記送信されたポーリング信号の周波数におけるまたはその近くの前記ＰＡ出力コピーを前記受信機ＡＤＣのクロックに与えることによって前記チャネル影響のための信号レベルを決定することと、
得られた直接ダウンコンバートされた信号レベルの変化に基づいて結合物体の存在を決定することと
を行うために実行可能な命令を備える、Ｃ１４に記載のワイヤレス通信デバイス。
［Ｃ２１］
誘導結合通信のための装置であって、
誘導結合通信のための動作モードを決定するための手段と、
受信機の信号合成ブロックにおいて送信電力増幅器（ＰＡ）出力レプリカとＰＡ出力コピーとを合成することによって前記動作モードを実行するための手段と、ここにおいて、前記ＰＡ出力レプリカがチャネルプロパティの影響を反映し、ここにおいて、前記ＰＡ出力コピーが前記チャネルプロパティによって影響を受けない、
を備える、装置。
［Ｃ２２］
前記動作モードが、ターゲット負荷変調を用いたリーダーモードであり、ここにおいて、前記動作モードを実行するための前記手段が、
発信キャリアを送信するための手段と、
前記ＰＡ出力レプリカを前記信号合成ブロックに与えることによって前記発信キャリアの着信負荷変調を検知するための手段と、
着信負荷変調信号およびキャリア残差を分離するために、前記ＰＡ出力コピーを用いて前記信号合成ブロックにおいて前記発信キャリアを取り去るための手段と
を備える、Ｃ２１に記載の装置。
［Ｃ２３］
前記動作モードがターゲットモードであり、ここにおいて、前記動作モードを実行するための前記手段が、
マッチングネットワークおよびアンテナにおける被制御出力インピーダンス接続を維持するために低レベル発信キャリアを送信するための手段と、
前記ＰＡ出力レプリカを前記信号合成ブロックに与えることによって着信キャリアの着信変調を検知するための手段と、
着信変調信号を分離するために、重み付けされた出力レベルをもつ前記ＰＡ出力コピーを用いて前記信号合成ブロックにおいて前記発信キャリアと着信キャリアとを取り去るための手段と
を備える、Ｃ２１に記載の装置。
［Ｃ２４］
前記動作モードが、能動負荷変調（ＡＬＭ）を用いたターゲットモードであり、ここにおいて、前記動作モードを実行するための前記手段が、
発信ＡＬＭサブキャリアを送信するための手段と、
前記ＰＡ出力レプリカを前記信号合成ブロックに与えることによって前記発信ＡＬＭサブキャリアと着信キャリアの着信変調とを検知するための手段と、
前記着信キャリア上の着信変調信号を分離するために、前記ＰＡ出力コピーを用いて前記信号合成ブロックにおいて前記発信ＡＬＭサブキャリアと前記着信キャリアとを取り去るための手段と
を備える、Ｃ２１に記載の装置。
［Ｃ２５］
前記動作モードがＲＦポーリングモードであり、ここにおいて、前記動作モードを実行するための前記手段が、
発信ポーリング信号を送信するための手段と、
前記ＰＡ出力レプリカを前記信号合成ブロックに与えることによって前記発信ポーリング信号とチャネル影響とを検知するための手段と、
前記信号合成ブロックにおいて前記ＰＡ出力レプリカから前記ＰＡ出力コピーを減算することによって前記チャネル影響のための信号レベルを決定するための手段と、
前記信号レベルの変化に基づいて結合物体の存在を決定するための手段と
を備える、Ｃ２１に記載の装置。
［Ｃ２６］
誘導結合通信のためのコンピュータプログラム製品であって、前記コンピュータプログラム製品が、命令をその上に有する非一時的コンピュータ可読媒体を備え、前記命令が、
ワイヤレス通信デバイスに、誘導結合通信のための動作モードを決定させるためのコードと、
前記ワイヤレス通信デバイスに、受信機の信号合成ブロックにおいて送信電力増幅器（ＰＡ）出力レプリカとＰＡ出力コピーとを合成することによって前記動作モードを実行させるためのコードと、ここにおいて、前記ＰＡ出力レプリカがチャネルプロパティの影響を反映し、ここにおいて、前記ＰＡ出力コピーが前記チャネルプロパティによって影響を受けない、
を備える、コンピュータプログラム製品。
［Ｃ２７］
前記動作モードが、ターゲット負荷変調を用いたリーダーモードであり、ここにおいて、前記ワイヤレス通信デバイスに前記動作モードを実行させるための前記コードが、
前記ワイヤレス通信デバイスに、発信キャリアを送信させるためのコードと、
前記ワイヤレス通信デバイスに、前記ＰＡ出力レプリカを前記信号合成ブロックに与えることによって前記発信キャリアの着信負荷変調を検知させるためのコードと、
前記ワイヤレス通信デバイスに、着信負荷変調信号およびキャリア残差を分離するために、前記ＰＡ出力コピーを用いて前記信号合成ブロックにおいて前記発信キャリアを取り去らせるためのコードと
を備える、Ｃ２６に記載のコンピュータプログラム製品。
［Ｃ２８］
前記動作モードがターゲットモードであり、ここにおいて、前記ワイヤレス通信デバイスに前記動作モードを実行させるための前記コードが、
前記ワイヤレス通信デバイスに、マッチングネットワークおよびアンテナにおける被制御出力インピーダンス接続を維持するために低レベル発信キャリアを送信させるためのコードと、
前記ワイヤレス通信デバイスに、前記ＰＡ出力レプリカを前記信号合成ブロックに与えることによって着信キャリアの着信変調を検知させるためのコードと、
前記ワイヤレス通信デバイスに、着信変調信号を分離するために、重み付けされた出力レベルをもつ前記ＰＡ出力コピーを用いて前記信号合成ブロックにおいて前記発信キャリアと着信キャリアとを取り去らせるためのコードと
を備える、Ｃ２６に記載のコンピュータプログラム製品。
［Ｃ２９］
前記動作モードが、能動負荷変調（ＡＬＭ）を用いたターゲットモードであり、ここにおいて、前記ワイヤレス通信デバイスに前記動作モードを実行させるための前記コードが、
前記ワイヤレス通信デバイスに、発信ＡＬＭサブキャリアを送信させるためのコードと、
前記ワイヤレス通信デバイスに、前記ＰＡ出力レプリカを前記信号合成ブロックに与えることによって前記発信ＡＬＭサブキャリアと着信キャリアの着信変調とを検知させるためのコードと、
前記ワイヤレス通信デバイスに、前記着信キャリア上の着信変調信号を分離するために、前記ＰＡ出力コピーを用いて前記信号合成ブロックにおいて前記発信ＡＬＭサブキャリアと前記着信キャリアとを取り去らせるためのコードと
を備える、Ｃ２６に記載のコンピュータプログラム製品。
［Ｃ３０］
前記動作モードがＲＦポーリングモードであり、ここにおいて、前記ワイヤレス通信デバイスに前記動作モードを実行させるための前記コードが、
前記ワイヤレス通信デバイスに、発信ポーリング信号を送信させるためのコードと、
前記ワイヤレス通信デバイスに、前記ＰＡ出力レプリカを前記信号合成ブロックに与えることによって前記発信ポーリング信号とチャネル影響とを検知させるためのコードと、
前記ワイヤレス通信デバイスに、前記信号合成ブロックにおいて前記ＰＡ出力レプリカから前記ＰＡ出力コピーを減算することによって前記チャネル影響のための信号レベルを決定させるためのコードと、
前記ワイヤレス通信デバイスに、前記信号レベルの変化に基づいて結合物体の存在を決定させるためのコードと
を備える、Ｃ２６に記載のコンピュータプログラム製品。
【国際調査報告】
2018532328.tif 000015
2018532328.tif 000016